(57)【要約】  移動無線ターミナルが無線通信ネットワークのゾーン内かゾーン外かを決定するための方法及びシステム。この方法は、移動無線ターミナル及び／又はネットワークにより得られた測定値を使用し、及び／又は予想値を使用して、ゾーンを表わすプロフィールを発生する。次いで、その後の測定値とプロフィールとの間で比較を行い、移動無線ターミナルがゾーン内であるかゾーン外であるかの決定を行なう。この方法は、一般的に、差の通話課金、セキュリティアプリケーション、バディファインダーサービス、移動ゲーム、及び位置ベースのサービスを含むゾーンベースアプリケーションに適用できる。【選択図】図８
2008535417.tif 000002
【特許請求の範囲】
【請求項１】
無線通信ネットワーク内の移動無線ターミナルに関する領域を表わすプロフィールを発生するための方法において、
前記移動無線装置に関する領域から複数の無線信号パラメータの少なくとも１つの値を得るステップと、
前記複数の無線信号パラメータの少なくとも１つの値を処理して、前記移動無線ターミナルに関する領域を表わすプロフィールを発生するステップと、
を備えた方法。
【請求項２】
前記複数の無線信号パラメータの少なくとも１つの値は、前記移動無線ターミナルにより得られる、請求項１に記載の方法。
【請求項３】
前記複数の無線信号パラメータの少なくとも１つの値は、前記移動無線ターミナルに関する領域における無線通信ネットワーク装置により得られる、請求項１に記載の方法。
【請求項４】
前記複数の無線信号パラメータの少なくとも１つの値は、前記移動無線ターミナルと、前記無線通信ネットワークとの間の通信を傍受することにより得られる、請求項１に記載の方法。
【請求項５】
前記複数の無線信号パラメータの少なくとも１つはセルＩＤである、請求項１から４のいずれかに記載の方法。
【請求項６】
前記複数の無線信号パラメータの少なくとも１つの値を処理する前記ステップは、前記移動無線ターミナルにおいて遂行される、請求項１から５のいずれかに記載の方法。
【請求項７】
前記複数の無線信号パラメータの少なくとも１つの値を処理する前記ステップは、前記無線通信ネットワークのネットワークプロセッサにおいて遂行される、請求項１から５のいずれかに記載の方法。
【請求項８】
前記複数の無線信号パラメータの少なくとも１つの値を処理する前記ステップは、前記無線通信ネットワークの外部のプロセッサにおいて遂行される、請求項１から５のいずれかに記載の方法。
【請求項９】
前記複数の無線信号パラメータの少なくとも１つの値は、前記プロフィールを発生するように処理するために前記移動無線ターミナルから前記ネットワークプロセッサへ送信される、請求項７に記載の方法。
【請求項１０】
前記発生されたプロフィールは、前記移動無線ターミナルへ送信される、請求項７から９のいずれかに記載の方法。
【請求項１１】
前記複数の無線信号パラメータの複数の値が得られる、請求項１から１０のいずれかに記載の方法。
【請求項１２】
前記処理ステップは前記複数の値を平均化することを含む、請求項１１に記載の方法。
【請求項１３】
前記複数の無線パラメータは、チャンネル周波数識別子及び識別コードの１つ以上を含む、請求項１から１２のいずれかに記載の方法。
【請求項１４】
前記無線通信ネットワークは、ＧＳＭシステムであり、前記チャンネル周波数識別子は、絶対無線周波数チャンネル番号（ＡＲＦＣＮ）であり、そして前記識別コードは、ベースステーションアイデンティティコード（ＢＳＩＣ）である、請求項１３に記載の方法。
【請求項１５】
前記少なくとも１つの値が確認される、請求項１から１４のいずれかに記載の方法。
【請求項１６】
前記確認ステップは、前記移動無線ターミナルのおおよその位置を計算し、そしてそのおおよその位置を、前記発生されたプロフィールにより表わされる領域に関連した位置と比較することを含む、請求項１５に記載の方法。
【請求項１７】
前記移動無線ターミナルのおおよその位置、及び前記領域に関連した位置が互いに所与の距離内にある場合には、少なくとも１つの測定を受け容れ、さもなければ、少なくとも１つの測定を拒絶する、請求項１６に記載の方法。
【請求項１８】
複数のパラメータの少なくとも１つの値を得る前記ステップは、前記領域の広がりを制御するように制御される、請求項１から１７のいずれかに記載の方法。
【請求項１９】
複数のパラメータの少なくとも１つの値を得る前記ステップは、前記複数の無線信号パラメータの少なくとも１つの値が得られる時間周期を制御することにより制御される、請求項１８に記載の方法。
【請求項２０】
複数のパラメータの少なくとも１つの値を得る前記ステップは、外部の運営者により制御される、請求項１８又は１９に記載の方法。
【請求項２１】
前記複数の無線信号パラメータの少なくとも１つは、不明瞭な無線信号パラメータであり、そして前記複数の無線信号パラメータの少なくとも１つは、明瞭な無線信号パラメータである、請求項１から２０のいずれかに記載の方法。
【請求項２２】
前記複数の無線信号パラメータの少なくとも１つの値の少なくとも１つは、測定により得られる、請求項１から２１のいずれかに記載の方法。
【請求項２３】
前記複数の無線信号パラメータの少なくとも１つの値の少なくとも１つは予想される、請求項１から２１のいずれかに記載の方法。
【請求項２４】
移動無線ターミナルが予め定められた領域内にあるかどうか決定するための方法において、
移動無線ターミナルに関する領域から複数の無線信号パラメータの少なくとも１つの値を得るステップと、
前記予め定められた領域を表わすプロフィールを、前記複数の無線信号パラメータの少なくとも１つの値と比較するステップと、
前記比較に基づいて前記移動無線ターミナルが前記予め定められた領域内にあるかどうか決定するステップと、
を備えた方法。
【請求項２５】
前記複数の無線信号パラメータの少なくとも１つの値は、前記移動無線ターミナルにより得られる、請求項２４に記載の方法。
【請求項２６】
前記複数の無線信号パラメータの少なくとも１つの値は、前記移動無線ターミナルに関する領域における無線通信ネットワーク装置により得られる、請求項２５に記載の方法。
【請求項２７】
前記複数の無線信号パラメータの少なくとも１つの値は、前記移動無線ターミナルと、前記無線通信ネットワークとの間の通信を傍受することにより得られる、請求項２６に記載の方法。
【請求項２８】
前記複数の無線信号パラメータの少なくとも１つはセルＩＤである、請求項２４から２７のいずれかに記載の方法。
【請求項２９】
所与の領域を表わすプロフィールを、前記複数の無線信号パラメータの少なくとも１つの値と比較する前記ステップは、前記移動無線ターミナルにより行なわれる、請求項２４から２８のいずれかに記載の方法。
【請求項３０】
予め定められた領域を表わすプロフィールを、前記複数の無線信号パラメータの少なくとも１つの値と比較する前記ステップは、無線通信ネットワーク要素において行なわれる、請求項２４から２８のいずれかに記載の方法。
【請求項３１】
予め定められた領域を表わすプロフィールを、前記複数の無線信号パラメータの少なくとも１つの値と比較する前記ステップは、無線通信ネットワーク要素の外部のプロセッサにより行なわれる、請求項２４から３０のいずれかに記載の方法。
【請求項３２】
各代表的なプロフィールを各々が有する複数の予め定められた領域が存在する、請求項２４から３１のいずれかに記載の方法。
【請求項３３】
前記複数の予め定められた領域の２つ以上が重畳する、請求項３２に記載の方法。
【請求項３４】
前記少なくとも１つの値の少なくとも１つは、測定により得られる、請求項２４から３３のいずれかに記載の方法。
【請求項３５】
少なくとも１つの値の少なくとも１つは、予想される、請求項２４から３３のいずれかに記載の方法。
【請求項３６】
移動無線ターミナルが無線通信ネットワークの予め定められた領域内にあるかどうか決定するための方法において、移動無線ターミナルから、その移動無線ターミナルに関する領域の複数の無線信号パラメータの少なくとも１つの値をプロセッサへ送信して、前記予め定められた領域のプロフィールと比較し、複数の無線信号パラメータの少なくとも１つの測定値は、移動無線ターミナルが予め定められた領域内にあるかどうかの決定が必要なときだけ送信されるようにした方法。
【請求項３７】
前記複数の無線信号パラメータの少なくとも１つの値は、始動時に、前記移動無線ターミナルのユーザにより送信される、請求項３６に記載の方法。
【請求項３８】
前記複数の無線信号パラメータの少なくとも１つの値は、前記移動無線ターミナルのユーザがコールを開始するときに送信される、請求項３４に記載の方法。
【請求項３９】
前記複数の無線信号パラメータの少なくとも１つの値は、前記無線通信ネットワークから要求を受け取る際に送信される、請求項３３に記載の方法。
【請求項４０】
前記複数の無線信号パラメータの少なくとも１つの値は、前記無線通信ネットワークの外部のプロセッサから要求を受け取る際に送信される、請求項３３に記載の方法。
【請求項４１】
前記少なくとも１つの値の少なくとも１つは、測定により得られる、請求項３６から４０のいずれかに記載の方法。
【請求項４２】
少なくとも１つの値の少なくとも１つは、予想される、請求項３６から４０のいずれかに記載の方法。
【請求項４３】
移動無線ターミナルが無線通信ネットワークの予め定められた領域内にあるかどうか決定するための方法において、
前記移動無線ターミナルに関する領域における複数の無線信号パラメータの少なくとも１つの値を、前記予め定められた領域を表わすプロフィールと比較するステップと、
前記比較に基づいて、移動無線ターミナルが前記予め定められた領域内にあるかどうか決定するステップと、
前記決定をプロセッサへ送信するステップと、
を備えた方法。
【請求項４４】
前記プロセッサは、前記無線通信ネットワークのプロセッサである、請求項４３に記載の方法。
【請求項４５】
前記プロセッサは、前記無線通信ネットワークの外部のプロセッサである、請求項４３に記載の方法。
【請求項４６】
前記決定は、始動時に、前記移動無線ターミナルのユーザによりプロセッサへ送信される、請求項４３から４５のいずれかに記載の方法。
【請求項４７】
前記決定は、前記移動無線ターミナルのユーザがコールを開始するときにプロセッサへ送信される、請求項４３から４６のいずれかに記載の方法。
【請求項４８】
前記決定は、前記無線通信ネットワークから要求を受け取る際にプロセッサへ送信される、請求項４３から４５のいずれかに記載の方法。
【請求項４９】
前記決定は、前記無線通信ネットワークの外部から要求を受け取る際にプロセッサへ送信される、請求項４３から４５のいずれかに記載の方法。
【請求項５０】
前記決定は、前記決定が変化するときにプロセッサへ送信される、請求項４３から４５のいずれかに記載の方法。
【請求項５１】
前記複数の無線信号パラメータの少なくとも１つのうちの少なくとも１つの値は、測定値である、請求項４３から５０のいずれかに記載の方法。
【請求項５２】
前記複数の無線信号パラメータの少なくとも１つのうちの少なくとも１つの値は、予想値である、請求項４３から５０のいずれかに記載の方法。
【請求項５３】
移動無線ターミナルが無線通信ネットワークの予め定められた領域内にあるかどうか決定するための方法において、
予め定められた領域を表わすプロフィールを得るステップと、
前記移動無線ターミナルに関する領域から複数の無線信号パラメータの少なくとも１つの値を得るステップと、
前記複数の無線信号パラメータの少なくとも１つの値を前記プロフィールと比較して、移動無線ターミナルが前記予め定められた領域内にあるかどうか決定するステップと、
を備えた方法。
【請求項５４】
前記比較ステップは、前記少なくとも１つの値及び前記プロフィールに関連したコストＣを計算し、そしてこのコストＣをスレッシュホールドと比較することを含む、請求項５３に記載の方法。
【請求項５５】
前記コストＣは、次のように計算され、
Ｃ＝Ｃm＋Ｃum＋Ｃur
但し、
Ｃm＝観察され且つプロフィールが一致するセルに関連したコスト、
Ｃum＝観察されるがプロフィールが一致しないセルに関連したコスト、
Ｃur＝プロフィール内にあるが報告されないセルに関連したコスト、
である請求項５４に記載の方法。
【請求項５６】
Ｃm、Ｃum及びＣurの各々は、次のように計算され、
2008535417.tif 000022
2008535417.tif 000023
2008535417.tif 000024
但し、
ｒpi＝プロフィールに入力されたｉ番目のセルの信号強度（ｄＢｍ）の予想値、
ｒoi＝ｉ番目のセルの信号強度（ｄＢｍ）の観察値、
ｔum＝セルの予想信号強度がｔumより高い場合にはプロフィールにおいてセルが観察されないことがあり得ないように信号強度の値を表わす固定値（ｄＢｍ単位）、
ｔur＝固定スレッシュホールド（ｄＢｍ単位）、
σ＝倍率パラメータ、
ｅｒｆ＝標準エラー関数、
又、ここで、
Ｎm＝プロフィールが一致する観察の回数、
Ｎum＝プロフィールが一致しない観察の数、
Ｎur＝プロフィール内にあるが報告されないセルの数、
である、請求項５５に記載の方法。
【請求項５７】
Ｃ＜Ｘ2（ｘ、ＮT−２）の場合は、ゾーン内にあり、さもなければ、ゾーン内になく、
但し、
Ｘ2は、標準統計関数、
ＮT＝Ｎm＋Ｎum＋Ｎur
ｘ＝０から１００のパーセンテージ、
である、請求項５５に記載の方法。
【請求項５８】
移動無線ターミナルが無線通信システムの予め定められた領域内にあるかどうか決定するためのシステムの性能を制御する方法において、
「アウト・ギブン・イン」エラーの確率と「イン・ギブン・アウト」エラーの確率との比にスレッシュホールドを関連付けるステップと、
希望の性能を達成するように前記スレッシュホールドを調整するステップと、
を備えた方法。
【請求項５９】
前記スレッシュホールドは、約０％から約１００％まで調整できる、請求項５８に記載の方法。
【請求項６０】
移動無線ターミナルが無線通信システムの予め定められた領域内にあるかどうか決定するシステムにおいて、該予め定められた領域は、イン領域とアウト領域との間の遷移領域を有し、該遷移領域のサイズを制御するための方法が、
「アウト・ギブン・イン」エラーの確率と「イン・ギブン・アウト」エラーの確率との比にスレッシュホールドを関連付けるステップと、
前記遷移領域のサイズを制御するようにスレッシュホールドを調整するステップと、
を備えた方法。
【請求項６１】
前記スレッシュホールドは、約０％から約１００％まで調整できる、請求項６０に記載の方法。
【請求項６２】
移動無線ターミナルが無線通信システムの予め定められた領域内にあるかどうか決定するシステムにおいて、この予め定められた領域のサイズを制御するための方法が、
「アウト・ギブン・イン」エラーの確率と「イン・ギブン・アウト」エラーの確率との比にスレッシュホールドを関連付けるステップと、
予め定められた領域のサイズを制御するように前記スレッシュホールドを調整するステップと、
を備えた方法。
【請求項６３】
前記スレッシュホールドは、約０％から約１００％まで調整できる、請求項６２に記載の方法。
【請求項６４】
前記「イン・ギブン・アウト」エラーの確率が高くなるにつれて、領域のサイズが増加する、請求項６２又は６３に記載の方法。
【請求項６５】
少なくとも１つのセルを有する無線通信ネットワーク内の領域を画成する方法において、セル及び／又はセルのセクターの位置及び／又は向きとは独立して領域を画成するステップを備えた方法。
【請求項６６】
前記方法は、セル内の移動無線ターミナルに関する領域を表わすプロフィールを発生するステップを備えた、請求項６５に記載の方法。
【請求項６７】
プロフィールを発生する前記ステップは、請求項１から２３のいずれかに記載の方法を使用して遂行される、請求項６６に記載の方法。
【請求項６８】
１つ以上の地理的座標として表わされたゾーンを、無線通信ネットワークにおいてそのゾーン付近のセルサイトに関連した１つ以上の無線信号パラメータ値及び／又は範囲を使用して表わされたゾーンへと変換する方法において、
１つ以上の地理的座標を無線通信ネットワークの１つ以上のセルサイトに相関させるステップと、
その相関された１つ以上のセルサイトにおいて１つ以上の無線信号パラメータ値及び／又は範囲を予想するステップと、
を備えた方法。
【請求項６９】
前記１つ以上の地理的座標は、緯度及び／又は経度である、請求項６８に記載の方法。
【請求項７０】
前記１つ以上の地理的座標は、街路住所である、請求項６８に記載の方法。
【請求項７１】
１つ以上の地理的座標を１つ以上のセルサイトに相関させる前記ステップは、ルックアップテーブルにより行なわれる、請求項６８から７０のいずれかに記載の方法。
【請求項７２】
無線通信ネットワークに領域を画成する方法において、この領域を垂直次元で画成する方法。
【請求項７３】
前記垂直次元における前記領域の広がりを制御することができる、請求項７２に記載の方法。
【請求項７４】
前記領域は、プロフィールにより画成される、請求項７２又は７３に記載の方法。
【請求項７５】
前記プロフィールは、請求項１から２３のいずれかに記載の方法により発生される、請求項７４に記載の方法。
【請求項７６】
移動無線ターミナルからの送信を受け取るための無線通信ネットワークにおいて、無線通信ネットワークの通信負荷を制御する方法が、移動無線ターミナルが無線通信ネットワークへデータを送信するレートを制御するステップを備えた方法。
【請求項７７】
前記移動無線ターミナルは、前記移動無線ターミナルに関する無線信号パラメータに関連したデータを送信する、請求項７６に記載の方法。
【請求項７８】
前記移動無線ターミナルは、前記移動無線ターミナルのユーザが位置データの送信を開始するときにデータを送信する、請求項７７に記載の方法。
【請求項７９】
前記移動無線ターミナルは、前記移動無線ターミナルのユーザが前記無線通信ネットワークへのコールを開始するときにデータを送信する、請求項７８に記載の方法。
【請求項８０】
前記移動無線ターミナルは、前記無線通信ネットワークから要求があったときにデータを送信する、請求項７７に記載の方法。
【請求項８１】
前記移動無線ターミナルは、前記無線通信ネットワークの外部のプロセッサから要求があったときにデータを送信する、請求項７７に記載の方法。
【請求項８２】
前記移動無線ターミナルは、データに変化があったときにデータを送信する、請求項７７に記載の方法。
【請求項８３】
前記移動無線ターミナルは、前記移動無線ターミナルが無線通信ネットワーク内の予め定められた領域から出たり入ったりするときにデータを送信する、請求項８２に記載の方法。
【請求項８４】
別の位置又は加入者に対する１つ以上の加入者ターミナルの位置を監視し、その接近度が基準を満足するときにアクションをとるサービスを行なう方法において、１つ以上のターゲットターミナルと別のターミナルとの接近度を監視するための処理を１つ以上のターゲットターミナルで実行する方法。
【請求項８５】
請求項１から８４のいずれかに記載の方法を遂行することのできるシステム。
【請求項８６】
請求項１から８４のいずれかに記載の方法をマシンで遂行するようにさせるインストラクションを含むマシン読み取り可能なメディア。
【請求項８７】
前記マシン読み取り可能なメディアは、加入者アイデンティティモジュール（ＳＩＭ）である、請求項８４に記載のマシン読み取り可能なメディア。
【発明の詳細な説明】
【技術分野】
【０００１】
本発明は、移動装置が特定の地理的領域にあるかどうか決定する方法及び装置に係る。
【０００２】
優先権文書：本出願は、次のものから優先権を請求する。２００５年４月８日に出願された“Mobile Location”と題するオーストラリアプロビジョナル特許出願第２００５９０１７３５号；２００５年７月６日出願の“Enhanced Terrestrial Mobile Location”と題するオーストラリアプロビジョナル特許出願第２００５９０３５７７号；及び２００５年１１月４日出願の“Profile Based Communications Service”と題するオーストラリアプロビジョナル特許出願第２００５９０６１０５号。これらの各出願の全内容を参考としてここに援用する。
【０００３】
参照文献：以下の説明において次の出願中の特許出願を参照する。
−  “Radio Mobile Unit Location System”と題するＰＣＴ／ＡＵ２００５／００１３５８号
−  “Enhanced Mobile Location Method and System”と題するＰＣＴ／ＡＵ２００６／０００３４７号；及び“Enhanced Mobile Location”と題するＰＣＴ／ＡＵ２００６／０００３４８号
−  オーストラリアプロビジョナル特許出願第２００５９０１７３５号から優先権を請求する“Mobile Location”と題する出願中の国際特許出願
これらの各出願の全内容を参考としてここに援用する。
【背景技術】
【０００４】
移動電話加入者は、通常、コール当たりのフラグフォール、及びコールの時間巾に基づく使用料金が課せられる。この時間料率は、通常、固定ラインネットワークのユーザのための対応料率より高い。ある市場では、固定ラインの発呼者は、コール当たりの固定料金が課せられ、時間に基づく料金はない。その結果、移動加入者は、家にいるときは、移動電話よりむしろ固定ラインサービスを頻繁に利用する。
【０００５】
移動運営者は、ネットワークの利用を高める方法を求めている。１つの方法は、移動ユーザが、家にいるときでも、固定ラインサービスに優先して移動装置を使用し続けるように促すことである。これを達成するために、移動運営者は、固定ラインの料金に匹敵するように料金を下げねばならない。
【０００６】
これは、時々、ゾーンベースの課金と称される。移動加入者は、家から離れている間は通常の移動料率が課せられるが、家にいる間は料率が下げられる。
【０００７】
これを有効に作用させるために、移動ネットワークは、移動発呼者が家にいるときと、家から離れているときとを区別できねばならない。
【発明の開示】
【発明が解決しようとする課題】
【０００８】
それ故、本発明の目的は、特定の移動装置が特定のゾーン内にいるか、いないかを決定する方法及び／又はシステムを提供することである。
【課題を解決するための手段】
【０００９】
本発明の１つの態様によれば、無線通信ネットワーク内の移動無線ターミナルに関する領域を表わすプロフィールを発生するための方法において、移動無線装置に関する領域から複数の無線信号パラメータの少なくとも１つの値を得るステップと、複数の無線信号パラメータの少なくとも１つの値を処理して、移動無線ターミナルに関する領域を表わすプロフィールを発生するステップと、を備えた方法が提供される。
【００１０】
１つの形態において、複数の無線信号パラメータの少なくとも１つの値は、移動無線ターミナルにより得られる。
【００１１】
別の形態において、複数の無線信号パラメータの少なくとも１つの値は、移動無線ターミナルに関する領域における無線通信ネットワーク装置により得られる。
【００１２】
更に別の形態において、複数の無線信号パラメータの少なくとも１つの値は、移動無線ターミナルと無線通信ネットワークとの間の通信を傍受することにより得られる。
【００１３】
１つの態様において、複数の無線信号パラメータの少なくとも１つはセルＩＤである。
【００１４】
１つの形態において、複数の無線信号パラメータの少なくとも１つの値を処理する前記ステップは、移動無線ターミナルにおいて遂行される。
【００１５】
更に別の態様において、プロフィールを発生するために複数の無線信号パラメータの少なくとも１つの値を処理する前記ステップは、無線通信ネットワークのネットワークプロセッサにおいて遂行される。
【００１６】
別の態様において、プロフィールを発生するために複数の無線信号パラメータの少なくとも１つの値を処理する前記ステップは、無線通信ネットワークの外部のプロセッサにおいて遂行される。
【００１７】
別の形態において、複数の無線信号パラメータの少なくとも１つの値は、前記プロフィールを発生するように処理するために移動無線ターミナルからネットワークプロセッサへ送信される。
【００１８】
別の形態において、発生されたプロフィールは、移動無線ターミナルへ送信される。
【００１９】
別の形態において、複数の無線信号パラメータの複数の値が得られる。
【００２０】
１つの態様において、前記処理ステップは、複数の値を平均化することを含む。
【００２１】
別の態様において、複数の無線パラメータは、チャンネル周波数識別子及び識別コードの１つ以上を含む。
【００２２】
更に別の態様において、無線通信ネットワークは、ＧＳＭシステムであり、チャンネル周波数識別子は、絶対無線周波数チャンネル番号（ＡＲＦＣＮ）であり、そして識別コードは、ベースステーションアイデンティティコード（ＢＳＩＣ）である。
【００２３】
１つの態様において、少なくとも１つの値が確認される。
【００２４】
この態様の１つの形態において、前記確認ステップは、移動無線ターミナルのおおよその位置を計算し、そしてそのおおよその位置を、前記発生されたプロフィールにより表わされる領域に関連した位置と比較することを含む。
【００２５】
別の態様において、移動無線ターミナルのおおよその位置、及び領域に関連した位置が互いに所与の距離内にある場合には、少なくとも１つの測定を受け容れ、さもなければ、少なくとも１つの測定を拒絶する。
【００２６】
１つの態様において、複数のパラメータの少なくとも１つの値を得る前記ステップは、領域の程度を制御するように制御される。
【００２７】
別の態様において、複数のパラメータの少なくとも１つの値を得る前記ステップは、複数の無線信号パラメータの少なくとも１つの値が得られる時間周期を制御することにより制御される。
【００２８】
更に別の態様において、複数のパラメータの少なくとも１つの値を得る前記ステップは、外部の運営者により制御される。
【００２９】
別の態様において、複数の無線信号パラメータの少なくとも１つは、不明瞭な無線信号パラメータであり、そして複数の無線信号パラメータの少なくとも１つは、明瞭な無線信号パラメータである。
【００３０】
更に別の態様において、複数の無線信号パラメータの少なくとも１つの値の少なくとも１つは、測定により得られる。
【００３１】
１つの態様において、複数の無線信号パラメータの少なくとも１つの値の少なくとも１つは、予想される。
【００３２】
本発明の別の態様によれば、移動無線ターミナルが予め定められた領域内にあるかどうか決定するための方法において、移動無線ターミナルに関する領域から複数の無線信号パラメータの少なくとも１つの値を得るステップと、前記予め定められた領域を表わすプロフィールを、前記複数の無線信号パラメータの少なくとも１つの値と比較するステップと、この比較に基づいて前記移動無線ターミナルが前記予め定められた領域内にあるかどうか決定するステップと、を備えた方法が提供される。
【００３３】
１つの態様において、複数の無線信号パラメータの少なくとも１つの値は、移動無線ターミナルにより得られる。
【００３４】
別の態様において、複数の無線信号パラメータの少なくとも１つの値は、移動無線ターミナルに関する領域における無線通信ネットワーク装置により得られる。
【００３５】
更に別の態様において、複数の無線信号パラメータの少なくとも１つの値は、移動無線ターミナルと無線通信ネットワークとの間の通信を傍受することにより得られる。
【００３６】
１つの形態において、複数の無線信号パラメータの少なくとも１つはセルＩＤである。
【００３７】
別の形態において、所与の領域を表わすプロフィールを、前記複数の無線信号パラメータの少なくとも１つの値と比較する前記ステップは、移動無線ターミナルにより行なわれる。
【００３８】
更に別の形態において、予め定められた領域を表わすプロフィールを、前記複数の無線信号パラメータの少なくとも１つの値と比較する前記ステップは、無線通信ネットワーク要素において行なわれる。
【００３９】
更に別の形態において、予め定められた領域を表わすプロフィールを、前記複数の無線信号パラメータの少なくとも１つの値と比較する前記ステップは、無線通信ネットワーク要素の外部のプロセッサにより行なわれる。
【００４０】
更に別の形態において、各代表的なプロフィールを各々が有する複数の予め定められた領域が存在する。
【００４１】
１つの形態において、複数の予め定められた領域の２つ以上が重畳する。
【００４２】
別の形態において、少なくとも１つの値の少なくとも１つは、測定により得られる。
【００４３】
更に別の形態において、少なくとも１つの値の少なくとも１つは、予想される。
【００４４】
本発明の別の態様において、移動無線ターミナルが無線通信ネットワークの予め定められた領域内にあるかどうか決定するための方法であって、移動無線ターミナルから、その移動無線ターミナルに関する領域の複数の無線信号パラメータの少なくとも１つの値をプロセッサへ送信して、前記予め定められた領域のプロフィールと比較し、複数の無線信号パラメータの少なくとも１つの測定値は、移動無線ターミナルが予め定められた領域内にあるかどうかの決定が必要なときだけ送信されるようにした方法が提供される。
【００４５】
１つの態様において、複数の無線信号パラメータの少なくとも１つの値は、始動時に、移動無線ターミナルのユーザにより送信される。
【００４６】
別の態様において、複数の無線信号パラメータの少なくとも１つの値は、移動無線ターミナルのユーザがコールを開始するときに送信される。
【００４７】
別の態様において、複数の無線信号パラメータの少なくとも１つの値は、無線通信ネットワークから要求を受け取る際に送信される。
【００４８】
更に別の態様において、複数の無線信号パラメータの少なくとも１つの値は、無線通信ネットワークの外部のプロセッサから要求を受け取る際に送信される。
【００４９】
１つの形態において、少なくとも１つの値の少なくとも１つは、測定により得られる。
【００５０】
別の形態において、少なくとも１つの値の少なくとも１つは、予想される。
【００５１】
本発明の別の態様によれば、移動無線ターミナルが無線通信ネットワークの予め定められた領域内にあるかどうか決定するための方法において、前記移動無線ターミナルに関する領域における複数の無線信号パラメータの少なくとも１つの値を、前記予め定められた領域を表わすプロフィールと比較するステップと、この比較に基づいて、移動無線ターミナルが前記予め定められた領域内にあるかどうか決定するステップと、その決定をプロセッサへ送信するステップと、を備えた方法が提供される。
【００５２】
１つの形態において、プロセッサは、無線通信ネットワークのプロセッサである。
【００５３】
別の形態において、プロセッサは、無線通信ネットワークの外部のプロセッサである。
【００５４】
１つの態様において、前記決定は、始動時に、移動無線ターミナルのユーザによりプロセッサへ送信される。
【００５５】
別の態様において、前記決定は、移動無線ターミナルのユーザがコールを開始するときにプロセッサへ送信される。
【００５６】
更に別の態様において、前記決定は、無線通信ネットワークから要求を受け取る際にプロセッサへ送信される。
【００５７】
別の態様において、前記決定は、無線通信ネットワークの外部から要求を受け取る際にプロセッサへ送信される。
【００５８】
別の形態において、前記決定は、前記決定が変化するときにプロセッサへ送信される。
【００５９】
更に別の形態において、複数の無線信号パラメータの少なくとも１つのうちの少なくとも１つの値は、測定値である。
【００６０】
更に別の形態において、複数の無線信号パラメータの少なくとも１つのうちの少なくとも１つの値は、予想値である。
【００６１】
本発明の別の態様によれば、移動無線ターミナルが無線通信ネットワークの予め定められた領域内にあるかどうか決定するための方法において、予め定められた領域を表わすプロフィールを得るステップと、移動無線ターミナルに関する領域から複数の無線信号パラメータの少なくとも１つの値を得るステップと、複数の無線信号パラメータの少なくとも１つの値を前記プロフィールと比較して、移動無線ターミナルが前記予め定められた領域内にあるかどうか決定するステップと、を備えた方法が提供される。
【００６２】
１つの形態において、前記比較ステップは、前記少なくとも１つの値及び前記プロフィールに関連したコストＣを計算し、そしてこのコストＣをスレッシュホールドと比較することを含む。
【００６３】
更に別の形態において、コストＣは、次のように計算される。
Ｃ＝Ｃm＋Ｃum＋Ｃur
但し、
Ｃm＝観察され且つプロフィールが一致するセルに関連したコスト
Ｃum＝観察され且つプロフィールが一致しないセルに関連したコスト
Ｃur＝プロフィール内にあるが報告されないセルに関連したコスト
【００６４】
更に別の形態において、Ｃm、Ｃum及びＣurの各々は、次のように計算される。
2008535417.tif 000003
2008535417.tif 000004
2008535417.tif 000005
但し、
ｒpi＝プロフィールに入力されたｉ番目のセルの信号強度（ｄＢｍ）の予想値、
ｒoi＝ｉ番目のセルの信号強度（ｄＢｍ）の観察値、
ｔum＝セルの予想信号強度がｔumより高い場合にはプロフィールにおいてセルが観察されないことがあり得ないように信号強度の値を表わす固定値（ｄＢｍ単位）、
ｔur＝固定スレッシュホールド（ｄＢｍ単位）、
σ＝倍率パラメータ、
ｅｒｆ＝標準エラー関数、
又、ここで、
Ｎm＝プロフィールが一致する観察の回数、
Ｎum＝プロフィールが一致しない観察の数、
Ｎur＝プロフィール内にあるが報告されないセルの数、
である。
【００６５】
Ｃ＜Ｘ2（ｘ、ＮT−２）の場合は、ゾーン内にあり、さもなければ、ゾーン内になく、
但し、
Ｘ2は、標準統計関数、
ＮT＝Ｎm＋Ｎum＋Ｎur
ｘ＝０から１００のパーセンテージ、
である。
【００６６】
本発明の更に別の態様によれば、移動無線ターミナルが無線通信システムの予め定められた領域内にあるかどうか決定するためのシステムの性能を制御する方法において、「アウト・ギブン・イン(Out-Given-In)」エラーの確率と「イン・ギブン・アウト(In-Given-Our)」エラーの確率との比にスレッシュホールドを関連付けるステップと、希望の性能を達成するようにスレッシュホールドを調整するステップと、を備えた方法が提供される。
【００６７】
１つの形態において、前記スレッシュホールドは、約０％から約１００％まで調整できる。
【００６８】
本発明の別の態様によれば、移動無線ターミナルが無線通信システムの予め定められた領域内にあるかどうか決定するシステムにおいて、この予め定められた領域は、イン領域とアウト領域との間の遷移領域を有し、この遷移領域のサイズを制御するための方法が、「アウト・ギブン・イン」エラーの確率と「イン・ギブン・アウト」エラーの確率との比にスレッシュホールドを関連付けるステップと、遷移領域のサイズを制御するようにスレッシュホールドを調整するステップと、を備えた方法が提供される。
【００６９】
１つの形態において、前記スレッシュホールドは、約０％から約１００％まで調整できる。
【００７０】
本発明の更に別の態様によれば、移動無線ターミナルが無線通信システムの予め定められた領域内にあるかどうか決定するシステムにおいて、この予め定められた領域のサイズを制御するための方法が、「アウト・ギブン・イン」エラーの確率と「イン・ギブン・アウト」エラーの確率との比にスレッシュホールドを関連付けるステップと、予め定められた領域のサイズを制御するようにスレッシュホールドを調整するステップと、を備えた方法が提供される。
【００７１】
１つの形態において、前記スレッシュホールドは、約０％から約１００％まで調整できる。
【００７２】
別の形態において、「イン・ギブン・アウト」エラーの確率が高くなるにつれて、領域のサイズが減少する。
【００７３】
本発明の更に別の態様によれば、少なくとも１つのセルを有する無線通信ネットワーク内の領域を画成する方法において、セル及び／又はセルのセクターの位置及び／又は向きとは独立して領域を画成するステップを備えた方法が提供される。
【００７４】
１つの形態において、前記方法は、セル内の移動無線ターミナルに関する領域を表わすプロフィールを発生するステップを備えている。
【００７５】
１つの態様において、プロフィールを発生する前記ステップは、本発明の第１の態様の方法を使用して遂行される。
【００７６】
１つ以上の地理的座標として表わされたゾーンを、無線通信ネットワークにおいてそのゾーン付近のセルサイトに関連した１つ以上の無線信号パラメータ値及び／又は範囲を使用して表わされたゾーンへと変換する方法は、１つ以上の地理的座標を無線通信ネットワークの１つ以上のセルサイトに相関させるステップと、その相関された１つ以上のセルサイトにおいて１つ以上の無線信号パラメータ値及び／又は範囲を予想するステップとを備えている。
【００７７】
１つの形態において、１つ以上の地理的座標は、緯度及び／又は経度である。
【００７８】
別の形態において、１つ以上の地理的座標は、街路住所である。
【００７９】
１つの態様において、１つ以上の地理的座標を１つ以上のセルサイトに相関させる前記ステップは、ルックアップテーブルにより行なわれる。
【００８０】
本発明の更に別の態様によれば、無線通信ネットワークに領域を画成する方法において、この領域を垂直次元で画成する方法が提供される。
【００８１】
１つの態様において、垂直次元における領域の広がりを制御することができる。
【００８２】
更に別の態様において、領域は、プロフィールにより画成される。
【００８３】
１つの形態において、プロフィールは、本発明の第１の態様の方法により発生される。
【００８４】
本発明の更に別の態様によれば、移動無線ターミナルからの送信を受け取るための無線通信ネットワークにおいて、無線通信ネットワークの通信負荷を制御する方法が、移動無線ターミナルが無線通信ネットワークへデータを送信するレートを制御するステップを備えた方法が提供される。
【００８５】
１つの形態において、移動無線ターミナルは、移動無線ターミナルに関する無線信号パラメータに関連したデータを送信する。
【００８６】
別の形態において、移動無線ターミナルは、移動無線ターミナルのユーザが位置データの送信を開始するときにデータを送信する。
【００８７】
更に別の形態において、移動無線ターミナルは、移動無線ターミナルのユーザが無線通信ネットワークへのコールを開始するときにデータを送信する。
【００８８】
更に別の形態において、移動無線ターミナルは、無線通信ネットワークから要求があったときにデータを送信する。
【００８９】
別の形態において、移動無線ターミナルは、無線通信ネットワークの外部のプロセッサから要求があったときにデータを送信する。
【００９０】
別の形態において、移動無線ターミナルは、データに変化があったときにデータを送信する。
【００９１】
更に別の形態において、移動無線ターミナルは、移動無線ターミナルが無線通信ネットワーク内の予め定められた領域から出たり入ったりするときにデータを送信する。
【００９２】
本発明の更に別の態様によれば、別の位置又は加入者に対する１つ以上の加入者ターミナルの位置を監視し、その接近度が基準を満足するときにアクションをとるサービスを行なう方法において、１つ以上のターゲットターミナルと別のターミナルとの接近度を監視するための処理を１つ以上のターゲットターミナルで実行する方法が提供される。
【００９３】
本発明の別の態様によれば、本発明の前記態様の１つ以上の方法を遂行することのできるシステムが提供される。
【００９４】
本発明の前記態様の１つ以上の方法をマシンで遂行するようにさせるインストラクションを含むマシン読み取り可能なメディア。
【００９５】
１つの形態において、マシン読み取り可能なメディアは、加入者アイデンティティモジュール（ＳＩＭ）である。
【００９６】
以下、添付図面を参照して、本発明の種々の態様を詳細に説明する。
【発明を実施するための最良の形態】
【００９７】
添付図面に示された本発明の１つ以上の実施形態を参照して本発明を以下に詳細に説明する。これら実施形態及び実施例は、説明のためのものに過ぎず、本発明の範囲を何ら限定するものではない。更に、１つの実施形態の一部分として示され又は説明された特徴を１つ以上の他の実施形態と共に使用して、更に新しい組み合せを与えることができる。本発明は、これらの変形や実施形態、及び当業者が理解し得る変形や変更も包含することが理解されよう。
【００９８】
本明細書全体にわたり、「移動無線ターミナル」という語は、「移動電話」、「セルラー電話」又は「ハンドセット」という語と同意義で使用され、セルラー電話、パーソナルデジタルアシスタント（ＰＤＡ）、ラップトップ又は他の移動コンピュータ、或いはページャーのようないかなる種類の移動無線ターミナルも包含するものと理解されたい。
【００９９】
図１は、領域又はゾーン１１が画成された無線通信ネットワーク１０を示す。本発明の一形式によるシステムは、移動加入者がゾーン内にいるかどうか決定する。この決定から、以下に詳細に述べるように、多数の使い方及び用途が考えられる。
【０１００】
単一のゾーンに加えて、例えば、ホームゾーン、職場ゾーン及び他のゾーンを含む多数のゾーンを画成して、同時にサポートすることができる。更に、包含ゾーンではなく除外としてゾーンを画成して動作することもできる。又、ゾーン内にゾーンがあってもよく、或いはゾーンが部分的に重畳することも意図される。例えば、図２に示す無線通信ネットワーク１０では、スクールゾーン１１が画成されて、学生のためのスクールゾーンにいるユーザに対して１つの異なる料率が与えられると共に、スクールゾーン内にあるホームゾーン１２内では学生が別の異なる料率をもつことができる。
【０１０１】
図３に示す更に別の実施形態では、学生のホームゾーン１２がスクールゾーン１１に一部分だけ重畳してもよい。この場合には、ホームゾーンは、実際の家のエリアに限定されなくてもよく、家が位置するブロックのエリアまで拡張されてもよい。この場合に、サービスプロバイダーは、より大きなホームゾーンに対して、より高い料率で課金することができる。図３は、学生に関連して画成された第３ゾーン１３も示しており、これは、例えば、学生が放課後に時間を費やす友人の家でよい。サービスプロバイダーは、この更に別のゾーン１３に第３の料率を適用することができる。
【０１０２】
図４において、３つのゾーン１１、１２及び１３が全て部分的に重畳する。この重畳がサービスプロバイダーにより処理される仕方は、多数のサービス契約オファーを与える。例えば、サービスプロバイダーは、重畳領域内でのコール又は他のトランザクションに対する適用料率が重畳ゾーンの最低料率であることをオファーしてもよい。例えば、スクールゾーン１１の料率は、最低であり、ホームゾーン１２の料率は、それより高く、そして「友人ゾーン」１３の料率は、最も高い。スクールゾーン１１及びホームゾーン１２の重畳である領域１４では、適応料率がスクールゾーン１１の料率である。ホームゾーン１２及び友人ゾーン１３の重畳である領域１５では、適応料率がホームゾーン１２の料率となり、一方、３つの全ゾーンの重畳である領域１６では、適用料率が、３つ全部の最低料率であるスクールゾーン１１の料率となる。
【０１０３】
図５は、全てのゾーンが重畳しない更に別の実施形態を示す。この場合、例えば、スクールゾーン１１と、２つのホームゾーン１２ａ及び１２ｂが設けられる。このような状況は、例えば、学生の親が離婚し、学生が２つの家で一部の時間を過ごす場合に生じる。この場合には、ホームゾーン１２ａと同じ料率がホームゾーン１２ｂにも適用される。もちろん、料率適用の他の組み合せも考えられることを理解されたい。
【０１０４】
更に、移動装置で実行されるものとして説明される処理の際には、ハンドセット、ハンドセットに挿入される加入者識別モジュール（ＳＩＭ）、ハンドセットに挿入される付加的なプロセッサ又はスマートカードの任意の組み合せで処理を実行できることが理解されよう。又、本発明の種々の態様を実施する際に生じる処理の多くは、ハンドセット、無線通信ネットワーク内の１つ以上のネットワーク要素、及び／又は無線通信ネットワークの外部の１つ以上の要素の間で分散又は部分的に分散できることも理解されよう。
【０１０５】
又、本発明は、無線通信ネットワーク内に特定の領域を画成することが要求される用途に適用できることも理解されよう。この領域は、当業者に理解されるようなゾーンを含むが、これに限定されない。あるゾーンを参照して、本発明の態様及び実施形態を説明するが、本発明は、ここに開示する実施形態の場合より広い領域、又はそれより狭く画成された領域にも適用できることが理解されよう。
【０１０６】
ほとんどの既存の位置システムは、トランザクション指向のものである。アプリケーションが移動装置の位置を知る必要があるときには、移動装置の現在の地理的位置を得るために位置システムでトランザクションが開始される。これは、加入者がコールを開始するたびに、移動装置の位置を測定して、家での（又はゾーン内の）料率を適用すべきか移動料率を適用すべきか決定しなければならないことを意味する。移動装置に着信するコールに、ゾーンに基づく区別を適用すべき場合には、入呼びのたびに位置トランザクションも要求される。
【０１０７】
典型的な位置トランザクションコストは、短い移動コールに匹敵する。それ故、移動の運営者がホームゾーンからのコールに対して低い固定金額しか加入者に課金しない場合には、この収入のほとんど又は全部が、発呼者が家にいるか否かを決定するトランザクションのために位置システムにかかる料金に吸収されてしまう。このトランザクション指向の解決策は、移動運営者又は移動加入者が支払わねばならない位置トランザクションコストをコールのたびに付加する。
【０１０８】
又、位置システムを使用してゾーンベースの移動課金をサポートすることは、位置システムの容量に制約があるために、問題である。毎秒幾つかのトランザクションという容量を与える位置システムは、ある市場では充分であるが、より大きな市場では毎秒より多くのトランザクションが要求される。
【０１０９】
又、位置システムがゾーンベースの課金をサポートすることも要求される場合は、位置システムのワークロードが、ネットワークにおける全コール開始レートに比例して動的に増加される。ほとんどの場合に、これは、数桁の大きさの増加を表わす。この付加的なワークロードのコストを加入者に直接課金できないとすれば、位置システムの容量を付加するのに必要な著しい出費は、移動運営者によって主として負担されねばならない。
【０１１０】
又、差動課金に使用するための従来の移動位置システムの使用に伴う問題が、位置計算に関連した待ち時間からも生じ得る。典型的に、位置システムは、移動装置の位置決めを計算するのに数秒以上を要することがある。この遅延は、通常、位置要求の量の増加と共に増大する。
【０１１１】
移動装置の現在位置を使用して、移動発信コール又は移動着信コールの取り扱いを変更すべき場合には、位置決定に関連した待ち時間が、全サービスクオリティのファクタ、例えば、コール設定における数秒の遅延となる。
【０１１２】
既存の位置方法は、移動装置が特定のゾーン内に存在するかどうか決定する問題に適応させることができる。１つの解決策は、移動装置の推定位置を計算して、この推定位置をゾーンの幾何学的記述と比較することである。例えば、ゾーンが、個人の家を中心とした１ｋｍｘ１ｋｍのボックスである場合には、アルゴリズムは、移動装置の推定位置がそのゾーン内に存在するかどうか単にチェックする。
【０１１３】
しかしながら、ゾーンが非常に小さく作られる場合には、位置推定プロセスに固有のランダムエラーがあるためにゾーン決定におけるエラー率がおそらく非常に高くなる。このような解決策では、エラー率を低下させる唯一の方法は、ゾーンのサイズを任意に増加することである。
【０１１４】
このようなシステムでは、２つの一般的形式のエラーが生じ得る。第１の形式のエラーは、移動装置が実際上ゾーン内にあるときにゾーンの外にあるとシステムが判断するときに生じる「イン・ギブン・アウト(In-Given-Out)」である。第２の形式のエラーは、移動装置が実際上ゾーンの外にあるときにゾーン内にあるとシステムが判断するときに生じる「アウト・ギブン・イン(Out-Given-In)」である。ホームゾーンアプリケーションでは、「アウト・ギブン・イン」エラーは、収入の漏れを引き起こし、即ち個人が高い移動コール料率で課金されねばならないときに低い「在宅」料率を用いて課金される。ホームゾーンアプリケーションにおける「イン・ギブン・アウト」エラーは、顧客が実際には家にいるときに、割引料率ではなく、より高い料率で課金されることになり、顧客の不満を招くことになる。
【０１１５】
これら２つの形式のエラーは、一方の形式のエラーの割合を最適化するようにシステムを適応させると、通常、他方の形式のエラーの割合に悪影響が及ぶという意味で関係がある。ゾーン決定アプリケーションに既存の位置システムを使用する場合の別の制約は、２つのエラー形式の割合の間に望ましい妥協を得るようにシステムを調整する直接的な手段がないことである。この場合の割合は、位置決めの固有の精度及びゾーンの寸法の関数である。
【０１１６】
本発明の１つの態様によれば、所与の領域又はゾーンを決定する際に他の無線信号パラメータ測定値の形態で付加的な情報を合体することによりセルＩＤシステムに対する改善が得られる。これらのパラメータは、１つ以上の信号電力又はタイミング測定値でよい。
【０１１７】
この態様の一実施形態において、移動無線ターミナル即ち移動装置により測定（１つ又は複数）が行なわれる。これは、移動装置がアイドル状態であるときも含めて常に付加的な測定を行うのを許す。本発明のこの態様の更に別の形態では、得られた測定値（１つ又は複数）の処理が移動ターミナルにおいて行われる。これは、測定値をリモート判断実行要素へ送信する必要性を排除又は減少し、ネットワーク容量に関してコストを減少し、そしてバッテリの電力消費を更に減少する。
【０１１８】
図６は、送信器又はベーストランシーバステーションＢＴＳ1、ＢＴＳ2及びＢＴＳ3を有する例示的な無線通信ネットワーク１０の一部分を示す。図６には、移動無線ターミナル２０も示されている。
【０１１９】
本発明の別の形態において、移動無線ターミナル２０は、上述したように、周囲のセルに関連した１つ以上の信号パラメータの１つ以上の測定を行うことができるが、この形態では、測定値がネットワークサーバーのような別のプロセッサへ通信されて処理され、ゾーンの程度が決定される。
【０１２０】
図７は、ネットワーク１０の移動無線ターミナル２０が、例えば、ＢＴＳ2を経てその測定値をネットワークサーバー３０へ通信する。測定値の送信は、それがおそらく必要となるときだけメッセージを送信することによりネットワーク容量の消費を最小にするように最適化することができる。必要なときだけ測定値を送信することは、移動ターミナルのバッテリの消耗を最小にするように働く。例えば、送信は、加入者がコールを開始することでトリガーすることができ、これにより、必要なときだけ情報を送信して、コールの料率を決めるためのゾーンの状態を決定することができる。或いは又、ターミナルのメニューアイテムから加入者により送信をトリガーすることもできる。更に別のやり方として、必要に応じてネットワークベースのサーバーからの要求により送信がトリガーされる。又、加入者により移動ターミナルのキーパッドをアンロックする動作も、この送信のための適当なトリガーとして使用することができる。
【０１２１】
更に別の形態では、図８に示すように、測定値を移動無線ターミナル２０により収集してネットワークサーバー３０へ送信することができ、ネットワークサーバーは、次いで、測定値を未処理のままか又は部分的に処理して外部プロセッサ４０へ送信し、完全に又は更に処理する。処理結果は、次いで、ネットワークサーバー３０及び／又は移動無線ターミナル２０へ送信することができる。ある実施形態では、外部プロセッサ４０は、第三者システムでもよいし、又はサービスプロバイダーのシステムの一部分でもよい。もちろん、データ通信経路の他の組み合せを使用することもできる。
【０１２２】
本発明の更に別の実施形態では、ネットワーク１０それ自体により、測定値（１つ又は複数）を得ることができる。１つの形態において、ネットワークによって得ることのできる測定値は、ラウンドトリップ遅延値、例えば、ＧＳＭシステムの場合はタイミング進み（ＴＡ）測定値、である。ＵＭＴＳにおけるＲＴＴのように、他のシステムでも同様の測定値を得ることができる。別の形態では、移動装置からの無線送信を傍受する測定受信器によりネットワークにおいて測定値を直接得ることができる。
【０１２３】
或いは又、移動装置からネットワーク１０へ送信されるメッセージを傍受することにより、移動無線ターミナル２０からの測定値を含む測定値が得られる。例えば、ネットワークと通信する間にＧＳＭ移動ターミナルにより周期的に送信されるネットワーク測定レポート（ＮＭＲ）がある。これらのメッセージは、当業者に明らかなように、例えば、ＧＳＭにおいてＢＴＳとＢＳＣとの間のＡＢＩＳインターフェイスにシグナリングプローブを使用して傍受することができる。
【０１２４】
測定（１つ又は複数）が行われると、移動無線ターミナル２０を取り巻くエリアを表わすプロフィールが発生される。プロフィールとは、移動ターミナルにより測定できる無線パラメータに関してゾーンの量的特徴を意味する。プロフィールは、通常、ゾーンの付近のセル、及びターミナルにより測定できる異なる形式のパラメータに関連した多数の要素より成る。プロフィールの要素は、一般に、ゾーンにおいて観察できる典型的なパラメータ値を反映するように構成され、ゾーン内のパラメータ値の予想変化の表示を伴うのも任意である。例えば、セル識別パラメータの場合に、プロフィールは、１つ以上のセルＩＤ値を含むことができる。２つ以上のセル識別子が含まれる場合には、これは、ゾーンにおいてターミナルにより測定できる識別子の予想変化を反映する。
【０１２５】
任意であるが、セル識別子は、測定されるべき関連セル識別子の相対的な見込みを反映する重みに関連付けされてもよい。別の例として、特定セルの信号レベルがプロフィールにおける特徴である場合には、そのセルから受け取った信号レベルの平均値をプロフィールに含ませることができる。任意であるが、ゾーン内の予想変動の表示もプロフィールに含ませることができる。これは、フェージングや干渉や季節的変化のような無線チャンネル現象による変動、及び移動ターミナル間の製造公差を受け容れるように構成することができる。
【０１２６】
受信信号レベルの１つの適当な表示は、無線信号電力変動をモデリングするためにこの技術で良く知られた統計学的対数正規分布である。このモデルのパラメータは、平均及び標準偏差である。標準偏差の値は、通常、予想される変化の程度に基づいて、数ｄＢから２０ｄＢの範囲である。この技術で知られている別のモデルは、レイリー及びリシアン分布を含む。これらは、適当な用途に基づいて適している。例えば、屋内又は混合エリアに関連したゾーンは、セルアンテナへの直接的な視線のおそれがあまりないので、レイリー分布で適当にモデリングすることができる。逆に、主として屋外エリアに関連したゾーンは、リシアンモデルで適当に特徴付けすることができる。タイミングパラメータの測定については、別のモデルが適当である。１つの状態においては、ガウスモデルが適当であるが、無線信号タイミング測定値の分布については別のモデルが知られている。又、中間値のような、典型的なパラメータ値の別の表示も適当に適用できる。又、四分位数間(inter-quartile)範囲のような他の測定値により予想変化を適当に表わすこともできる。
【０１２７】
ゾーンを画成するプロフィールは、多数の方法の１つで導出することができる。
【０１２８】
一実施形態において、プロフィールは、ゾーン内から加入者又はユーザの移動無線ターミナル２０により行われる測定から導出される。この測定プロセスは、加入者がそれらの移動無線ターミナル２０においてメニューエントリーを選択することにより開始することができる。或いは又、プロセスは、ネットワークベースのサーバー３０によってリモート位置で開始されてもよい。このような測定のセットの一例を以下に示す。この場合にプロフィールを導出するプロセスが、図９に示されており、これは、プロセス１００を示す。任意の第１ステップ１０１において、移動無線ターミナルの加入者についての契約詳細が収集される。ステップ１０２において、移動無線ターミナルは、そのゾーン又は領域内で無線パラメータ測定値を収集する。次いで、移動無線ターミナルは、これらの測定値を、例えば、ネットワークプロセッサへ送信する。任意のステップ１０３は、測定値が有効であることを保証するために、ネットワークプロセッサが、以下に詳細に述べるように、ゾーン整列チェックを行うためのものである。チェックが行われて、測定値が有効であると思われる場合には（１０４）、システムは、ステップ１０６へ進んでプロフィールを発生する。測定値が無効である（ゾーン位置と一致しない）と思われる場合には、ステップ１０５において、登録要求が拒絶される。プロフィールが発生されると、この例では、それが移動無線ターミナルへ送信される。
【０１２９】
別の実施形態では、この技術で良く知られた無線ネットワーク伝播モデリングにより、プロフィールを完全に発生することができる。このプロセスが図１０に示されている。図１０に示すように、ゾーンに対する望ましい位置及び望ましい程度が予想プロセスに使用される。このモデルは、無線ネットワークの構成に関する情報を使用し、これは、セルサイトの位置、セルアンテナの高さ及び向き、アンテナの放射パターン、並びに各セルに割り当てられたチャンネル周波数及び他のコードを含む。又、このモデルは、無線信号が送信器から受信器へ進行するときに信号電力のロスをカバーする。このようなモデルは、無線通信の分野で良く知られており、この主題に関する最も進歩したレベルのテキストに見ることができる。ネットワーク内のいずれかのセル又は全てのセルについて予想受信信号電力を発生することができる。又、これらの電力レベルを使用して、干渉レベル推定値を導出し、特定のセルからの信号の受信クオリティを予想することができる。受信信号レベル及び干渉レベルを予想するためのネットワークモデルの適用は、セルラー無線ネットワーク設計の当業者に良く知られている。詳細な参照論文は、Ｗ．Ｃ．Ｙ．リー著、“Mobile Communications Engineering”、マグローヒル、１９８２年、Ｐ．Ｌ．Ｈ．Ａ．Ｓ．フィッシャー、“Evaluation of positioning measurement systems”、Ｔ１Ｐ１．５／９７−１１０、１９９７年１２月、及びＩＥＥＥ  ＶＴＳコミッティー、“Coverage prediction for mobile radio systems operating in the 800/900MHz frequency range”、ＩＥＥＥトランザクションズ・オン・ＶＴＣ、第３７巻、第１号、１９９８年２月、を含む文献に存在する。これら参照論文の全内容を参考としてここに援用する。
【０１３０】
ゾーンが加入者の家にサービスすることが要求される１つのアプリケーションでは、家に対応する緯度及び／又は経度として位置を特定することができる。或いは又、家の市民住所として位置を特定し、ルックアップテーブルでルックアップを遂行して、これを、ネットワークセルのサイト位置が画成された同じ座標フレームへ変換してもよい。ゾーンにおいて受信される全セルに対する予想受信信号レベルを比較し、そして検出基準を適用して、おそらく移動ターミナルによって測定及び報告されるべきセルを選択することができる。典型的に、検出基準は、予想される搬送波対干渉（ノイズを含む）値がスレッシュホールドより大きいというものである。例えば、ＧＳＭネットワークでは、＋９ｄＢのＣ／（Ｉ＋Ｎ）スレッシュホールドを適用することができる。ＵＭＴＳネットワークの場合には、等価スレッシュホールドは、−２０ｄＢのＣＰＩＣＨ  Ｅｃ／ＩＯレベルとなる。ネットワーク及びアプリケーションに基づく他のスレッシュホールド値は、約−２６ｄＢから約＋１５ｄＢまでの範囲である（例えば、−２６ｄＢから−１２ｄＢ、−２２ｄＢから−６ｄＢ、−２０ｄＢから−１２ｄＢ、−１５ｄＢから０ｄＢ、−１２ｄＢから＋３ｄＢ、−６ｄＢから＋１２ｄＢ、−３ｄＢから＋１５ｄＢ、及び＋３ｄＢから＋１５ｄＢ、等）。
【０１３１】
予想電力レベルをスレッシュホールドと比較するか又は多数の最も強い予想セルを選択するような別の基準も使用できる。ここに示す実施形態は、ゾーン画成のための変換器として働くべき本発明の特徴を例示する。ゾーンサービスの運営者及びユーザは、ゾーンの位置及び程度を、場所的表現で、最も一般的には、地理的座標フレームに関して、或いは又、ある目印、おそらく、街路住所を参照した場所的表現で想像するのがしばしば便利である。しかしながら、ゾーンを画成するように実際に作用する無線パラメータ測定値は、全く異なる次元に及ぶ。本実施形態は、運営者及びユーザがゾーンを記述する表現と、このようなゾーンを動作するに必要な実際の無線パラメータ測定値との間の変換機構を提供する。例えば、ゾーンが単にサービスセルに関して画成されるような精度の低いゾーンシステムでは、この変換は、必要ではあるが、複雑なものではなく、それ故、メンタルに行うことができるか、或いはゾーンの付近にあるセルサイトの位置が既知である場合は手で行うことができる。しかしながら、付加的な無線パラメータ測定値を使用して微細な場所的弁別を達成しなければならない精度の高いゾーン画成の場合には、この変換プロセスが著しく複雑なものになる。本発明の１つの態様は、この複雑な変換機構を提供することである。
【０１３２】
図１０に示すプロセス２００でも、加入者の詳細を収集するための任意のステップが、ステップ２０１において遂行される。ステップ２０２では、周囲のセルからの信号レベルが予想され、そしてこれらの予想レベルを使用してステップ２０３においてプロフィールが構成される。この発生されたプロフィールは、次いで、ステップ２０３において移動無線ターミナルへ送信される。任意の更に別のステップにおいて、移動無線ターミナルは、ステップ２０５で、そのゾーン内の無線パラメータ測定値を収集し、そしてステップ２０６で、これらを使用して、プロフィールを洗練化する。この洗練化段階中に、移動ターミナルから測定値が得られ、これを使用して、プロフィールのパラメータが調整される。この場合に、プロフィールの信号レベル及び統計学的倍率パラメータは、各セルについて測定された受信レベルの平均及び分散に基づいて調整される。
【０１３３】
図１１に示す別の実施形態では、プロフィールは、測定値と、無線ネットワークモデルにより発生された予想値の両方を使用して発生することができる。この態様の１つの形態において、報告された測定値が分析され、そして報告されなかったが、予想値に基づいてゾーン内でおそらく測定されると思われるセルが、サーバーによりプロフィールに追加される。その一例を以下に説明する。
【０１３４】
図１１に示すプロセス３００でも、加入者の詳細を収集する任意のステップがステップ３０１において遂行され、そして移動無線ターミナル２０は、ステップ３０２において、そのゾーン内の無線パラメータ測定値を収集する。図９に示すプロセス１００と同様に、このプロセスは、前記のように、ステップ３０３、３０４及び３０５において、移動無線ターミナルにより得られた測定値を任意に確認することができる。ステップ３０６において、システムは、周囲のセルからの信号レベルを予想し、ステップ３０７において聴取可能なセルを選択し、そしてステップ３０８において、測定値及び予想値の両方を使用してプロフィールを発生する。発生されたプロフィールは、次いで、ステップ３０９において、移動無線ターミナルへ送信される。
【０１３５】
更に別の実施形態において、プロフィールは、ネットワーク伝播モデルを使用してサーバーにおいて発生され、次いで、移動無線ターミナル２０へ中継され、洗練化段階は開始されない。このプロセスが図１２に示されており、ここでは、プロセス４００は、ステップ４０１においてセルの信号レベルを予想することで始まり、ステップ４０２において聴取可能なセルを選択し、ステップ４０３においてプロフィールを発生し、次いで、ステップ４０４において移動無線ターミナル２０へプロフィールを送信する。
【０１３６】
以下、ＧＳＭネットワークにおいてゾーン画成及び検出のためにセルアイデンティティ（セルＩＤ）及び無線信号レベル測定値が使用される場合のプロフィールの発生の一例を説明する。この場合に、プロフィールに含まれるパラメータは、セル識別子及び受信信号レベルを含む。この場合には、上述したように、信号レベルに対して対数正規化統計学的特徴付けが使用される。
【０１３７】
測定段階中に、移動無線ターミナル２０により報告されるサービスセル及び隣接セルの測定値が繰り返し収集される。これらの測定値を使用して、報告されたセルの識別子及びそれに関連した信号レベル測定値を含むテーブルがポピュレートされる。一実施形態では、同じセルに対する報告された信号レベル測定値が平均化され、そしてカウントが増加される。別の形態では、次々の測定値を平均化する必要がない。ＧＳＭの場合は、セルＩＤを、あるケースでは、サービスセルについて報告するだけでよい。これは、例えば、ＳＩＭツールキットを使用して測定値を得る場合に生じることがある。このケースでは、隣接セルとして報告される全てのセルのセルＩＤフィールドだけが、ＡＲＦＣＮ及びＢＳＩＣのみにより識別される。以下のテーブルにおける対応するセルＩＤフィールドは、未知とマークされる。この例では、サービスセルに対する絶対高周波チャンネル番号（ＡＲＦＣＮ）及びベースステーションアイデンティティコード（ＢＳＩＣ）も、未知とマークされる。というのは、移動ターミナル２０がサービスセルに対するこれらの値を報告しないからである。
【０１３８】
以下のテーブル１は、１０個の測定サイクルにわたって適宜に構成されたテーブルを例示する。
テーブル１
2008535417.tif 000006
【０１３９】
ここに示す例では、ネットワークデータベース及び／又はネットワークパラメータを使用して未知のフィールドを完成し、そしてゾーン判断プロセスにより必要とされる付加的な要素を追加することにより、測定値のセットがプロフィールへと変換される。例えば、不明瞭な測定値について検討するときに以下に詳細に述べるように、このＡＲＦＣＮ及びＢＳＩＣを有する報告されるサービスセルに最も接近したセルをネットワークデータベースにおいてサーチすることにより、未知のセルＩＤを追加することができる。サービスセルに対するこの未知のＡＲＦＣＮ及びＢＳＩＣは、報告されたセルＩＤに基づいてネットワークデータベース内でこれらパラメータをルックアップすることにより追加される。
【０１４０】
以下のテーブル２は、それにより得られるプロフィールを示す。シグマ値は、ゾーン判断プロセスに使用するためにサーバーにより追加される。この実施形態では、全てがデフォールト値９（デシベル）にセットされる。実際に、これらは、ゾーンを画成すべき環境の性質及び用途に基づいて３ないし２０ｄＢの値にセットすることができる。任意であるが、プロフィールにおけるシグマ値は、例えば、それらのローカル環境に基づいて異なるセルに対して異なる仕方でセットされてもよい。高密度の都市エリアでは、例えば、９ｄＢないし１５ｄＢ、又は１２ｄＢないし２０ｄＢ、又は１４ｄＢないし２５ｄＢの大きな値が通常使用される。あまり分散していない環境又はあまり雑然としていない環境の場合には、例えば、３ｄＢないし９ｄＢ、又は６ｄＢないし１２ｄＢ、又は８ｄＢないし１５ｄＢの小さな値が適当である。又、これらの値は、アンテナの高さのような各セルの特性に基づいて変更されてもよい。
テーブル２
2008535417.tif 000007
【０１４１】
上述したように、測定値のセットからゾーンプロフィールを導出するための処理は、システム要素にわたって多数の異なる仕方で分散させることができる。
【０１４２】
図７に戻ると、一実施形態において、測定が移動ターミナル２０で行われて、ネットワークベースサーバー３０へ中継され、プロフィールが発生される。この場合に、サーバー３０は、無線ネットワークの構成を記述するデータベースを使用して、測定値を分析し、そして欠落又は付加的情報を追加することができる。
【０１４３】
別の実施形態では、プロフィールの発生は、移動ターミナル２０において完了される。ネットワーク構成情報の限定セットがサーバー３０から移動ターミナル２０へ送信され、測定値と共に使用されて、プロフィールが導出される。上述した特定のＧＳＭの例を使用して、セルＩＤ、ＡＲＦＣＮ及びＢＳＩＣトリプレットのリストを当該領域について送信し、ターミナルにおいて処理を行い、欠落した細部を埋めることができる。同様に、シグマのような可変パラメータを移動ターミナル２０へ送信して、プロフィールの発生に使用することもできる。
【０１４４】
更に別の実施形態では、プロフィールの発生は、ネットワークベースサーバー３０からの助けなしに、移動ターミナル２０において完全に行うことができる。これは、例えば、必要な全ての情報が移動ターミナルにおいて得られるとき、例えば、ターミナルが全てのセルＩＤをデコードして報告する場合に、行うことができる。
【０１４５】
更に別の実施形態において、処理は、図８を参照して上述したように、ネットワークの外部の要素において行うこともでき、この場合に、測定データは、外部プロセッサ４０へ送信され、おそらく、位置に基づく特定のサービス又はアプリケーションのプロバイダーにより管理される。
【０１４６】
移動ターミナル２０の測定値がゾーン発生プロセスに使用される場合には、本発明は、ゾーンの広がりを制限するための何らかのメカニズムを提供する。
【０１４７】
ある実施形態では、移動装置２０により行われる測定は、期間が限定される。例えば、システムは、加入者が、以下に述べるように、限定された周期中、希望のゾーンをローミングするのを許し、その間に測定値が収集される。この期間は、アパート又は小さな家に対して充分なものでよい。このように期間を限定することにより、ユーザは、ゾーンのおおよそ意図された広がりを越えて測定を行うことを思いとどまる。
【０１４８】
大きなゾーンの場合には、システムは、ユーザに、希望ゾーン内のサンプルポイントで測定値を収集するための大きな時間窓を許すことができる。又、異なる価格付けレベル又は構造を有する異なるサイズのゾーンに関連した異なるサービスオファーに基づいてネットワーク運営者により前記期間を変更することもできる。望ましいゾーンサイズは、アプリケーション又はサービスに基づいて変化してもよい。ゾーンサイズを表わす１つの仕方は、あるサイズのゾーンから他のサイズへの単一距離として表わすことである。例えば、ホームゾーンアプリケーションでは、５ｍないし２０ｍ、又は１０ｍないし３０ｍ、又は２０ｍないし５０ｍ、或いはこれらの範囲の組み合せのゾーンサイズが適当である。この場合に、測定値を収集するのに、５ｓないし２０ｓ、又は１０ｓないし３０ｓ、又は２０ｓないし２分、或いはこれらの範囲の組み合せの時間巾で充分である。おそらく多階層を有する大きな家をターゲットとする別のサービスでは、１０ｍから３５ｍ、又は２５ｍから７５ｍ、又は４０ｍから２００ｍの大きなゾーンサイズが適当である。この例では、適当な測定時間間隔は、１０ｓから５０ｓ、又は３０ｓから３分、又は１分から５分の範囲でよく、或いはこれら範囲の組み合せも適当である。オフィスや他の商業的資産を有する商業的企業では他のゾーンベースのサービスをターゲットとすることができる。このようなケースでは、ゾーンサイズは、数メーターないし数百メーターの範囲であり、これらゾーンを特徴付ける測定値を得るためにそれに対応する時間範囲が要求される。
【０１４９】
あるアプリケーションでは、ネットワークの運営者を表わすアカウントが、移動無線ターミナル２０を使用してゾーンを画成する測定値を収集する役割を果たすことができる。この場合、本発明のシステムは、アカウントマネージャーがゾーン画成測定の期間を制御する能力を有するような別の動作モードを与える。更に、新たな測定値の追加をトリガーするようにメニューアイテムを選択することにより、代表的なポイントにおいて一度に１つづつ、測定値を収集することもできる。ゾーン内に含まれるべきエリアのサイズに基づいて、ゾーンを充分に特徴付けるのに、５ないし２０個の測定値、又は１０ないし５０個の測定値、又は２５ないし１００個の測定値が要求される。おそらく多数のビルを含む大きなゾーンの場合には、非常に多数の測定値が必要となる。例えば、５０ないし２５０個の測定値、又は２００ないし１０００個の測定値、又は５００ないし５０００個の測定値が必要とされる。
【０１５０】
あるアプリケーションでは、ゾーンの初期化中に行なわれる測定の時間及び回数を制限する必要がない。この場合に、どれほど長く又はどれほどの回数、測定を行うかについては、ユーザの判断でよい。測定段階を終了させるために、例えば、ターミナルにメニューエントリーを設けてもよい。
【０１５１】
ユーザが、ゾーンを画成するのに使用される測定の少なくとも一部分について責任を負うシステムの場合には、サービス契約に指定されたエリアにおいてユーザが測定を遂行するのを保証するためにチェックを適用することがアプリケーション要求となる。１つの態様において、本発明は、先ず、位置システムに対して測定を適用して、ユーザの測定が行われた位置の推定値を計算することにより、このようなチェックを行う。移動無線ターミナル２０のおおよその位置を得る適切な方法は、例えば、次のような出願中の特許出願、即ち“Radio Mobile Unit Location System”と題するＰＣＴ／ＡＵ２００５／００１３５８号；“Enhanced Mobile Location Method and System”と題するＰＣＴ／ＡＵ２００６／０００３４７号；及び“Enhanced Mobile Location”と題するＰＣＴ／ＡＵ２００６／０００３４８号を含む。これらの各特許出願の全内容を参考としてここに援用する。
【０１５２】
次いで、この計算の結果を、ゾーンの指定された位置に対して比較し（例えば、指定された街路住所の逆ジェオ・コード(reverse geo-code)に基づき）、そして２つが互いに許容し得る距離内にある場合には、登録プロセスが進められる。許容距離を構成するものは、ネットワークごとに変化してもよい。例えば、平均ローカルセルサイト分離程度のスレッシュホールドは、適当なものでよい。さもなければ、登録が拒絶されるか又は他のステップが開始され、ユーザは、登録を繰り返すことが要求される。
【０１５３】
移動無線ターミナル２０がゾーン内にあるかどうか決定するのに使用される例示的アルゴリズムについて、いかに説明する。一実施形態において、このアルゴリズムは、コストを計算し、このコストをスレッシュホールドと比較することにより、移動装置がゾーン内にあるかどうか判断する。コストとは、数値的最適化の分野の当業者に良く知られたコスト又はペナルティ関数を使用して計算された、測定値とゾーンプロフィールとの間の差の量的表示である。合計コストＣは、次の式に等しい。
Ｃ＝Ｃm＋Ｃum＋Ｃur
但し、
Ｃm＝観察され且つプロフィールが一致するセルに関連したコスト；
Ｃum＝観察されるがプロフィールが一致しないセルに関連したコスト；及び
Ｃur＝プロフィール内にあるが報告されないセルに関連したコスト；
である。
【０１５４】
この例では、セルは、独特に番号付けし直され、セル１ないしＮmは、コストＣmに関連付けされ、セルＮm＋１ないしＮm＋Ｎumは、コストＣumに関連付けされ、そしてセルＮm＋Ｎum＋１ないしＮm＋Ｎum＋Ｎurは、コストＣurに関連付けされ、ここで、
Ｎm＝プロフィールが一致する観察の回数；
Ｎum＝プロフィールが一致しない観察の数；及び
Ｎur＝プロフィール内にあるが報告されないセルの数；
である。
【０１５５】
次いで、各々のコストが次のように計算される。
2008535417.tif 000008
2008535417.tif 000009
2008535417.tif 000010
但し、
ｒpi＝プロフィールに入力されたｉ番目のセルの信号強度（ｄＢｍ）の予想値；
ｒoi＝ｉ番目のセルの信号強度（ｄＢｍ）の観察値；
ｔum＝セルの予想信号強度がｔumより高い場合にはプロフィールにおいてセルが観察されないことがあり得ないように信号強度の値を表わす固定値（ｄＢｍ単位）；
ｔur＝固定スレッシュホールド（ｄＢｍ単位）で、参考としてここに援用する上述した“Enhanced Mobile Location Method and System”と題するＰＣＴ／ＡＵ２００６／０００３４７号に説明されたもの；
σ＝倍率パラメータ；及び
ｅｒｆ＝標準エラー関数；
である。
【０１５６】
移動装置がゾーン内にあるかどうかの判断は、次のように行われる。
Ｃ＜Ｘ2（ｘ、ＮT−２）の場合は、ゾーン内にあり、さもなければ、ゾーン内になく、
但し、
Ｘ2は、標準統計関数；
ＮT＝Ｎm＋Ｎum＋Ｎur；及び
ｘ＝０から１００のパーセンテージで、測定値と測定値との間の一貫性の程度及びゾーン内にあることを表わす。
【０１５７】
ＧＳＭシステムでは、不一致コストスレッシュホールドの適当な値が、−８０ｄＢと−９５ｄＢとの間、又は−８５ｄＢと−１００ｄＢとの間、又は−９０ｄＢと−１０５ｄＢとの間にあることを実験及びシミュレーションが示している。同様に、アプリケーションに基づくパーセンテージの適当な値が、５０％と７０％との間、又は６５％と８５％との間、又は７５％と１００％との間にある。
【０１５８】
σの値は、無線環境を含む多数のファクタに依存し、約３ｄＢから約２４ｄＢ（例えば、約３ｄＢ−９ｄＢ、６ｄＢ−１５ｄＢ、９ｄＢ−２０ｄＢ、又は１３ｄＢ−２４ｄＢ）の範囲である。ｔurの値を計算する１つの方法は、参考としてここに援用する前記“Enhanced Mobile Location Method and System”と題するＰＣＴ／ＡＵ２００６／０００３４７号に説明されている。ＧＳＭでは、信号強度を約１ｄＢに量子化することができる。
【０１５９】
システムは、信号レベル、タイミングの進み、時間差、又は他のパラメータを観察することができる。更に、特定のセルが報告されないことも、観察である。次の例では、信号レベル、タイミングの進み、及び非報告セル、の３つの形式の観察のみが使用される。
【０１６０】
この場合、セルは、独特に番号付けし直され、セル１ないしＮmは、コストＣmに関連付けされ、セルＮm＋１ないしＮm＋Ｎumは、コストＣumに関連付けされ、そしてセルＮm＋Ｎum＋１ないしＮm＋Ｎum＋Ｎurは、コストＣurに関連付けされると仮定する。但し、
Ｎm＝プロフィールが一致する観察の回数；
Ｎum＝プロフィールが一致しない観察の数；及び
Ｎur＝プロフィール内にあるが報告されないセルの数；
である。
【０１６１】
特に、移動ターミナルにおいてこれらの計算に関連した計算負荷を減少するために種々の近似を適用できることに注意されたい。例えば、エラー関数及びカイ二乗分布に対するルックアップテーブル近似を含む。
【０１６２】
次の説明は、ＧＳＭネットワークをベースとする例を使用した判断プロセスを示す。
【０１６３】
この例は、前記テーブル２で既に示したようにゾーンを画成するプロセスを使用する。この例では、測定値の新たなセットが、以下のテーブル３に示すように得られる。上述したように、ＡＲＦＣＮ及びＢＳＩＣは、ＮＭＲデータで報告されないので、サービスセルに対しては得られない。
テーブル３
2008535417.tif 000011
【０１６４】
合計コストは、上述したように、一致セル、不一致セル及び非報告セルに対応するコストを加算することにより計算される。一致セルのコストに対する計算値がテーブル４に示され、２つの小数位まで表わされている。
テーブル４
2008535417.tif 000012
【０１６５】
単一の不一致コストに対する計算値がテーブル５に示されている。
テーブル５
2008535417.tif 000013
【０１６６】
この例では、（参考としてここに援用する上述の）ＰＣＴ／ＡＵ２００６／０００３４７号に開示された方法を使用すると、測定値が完全にポピュレートされないので、−１０５の非報告スレッシュホールド値が使用される。非報告セルコストに対して計算された値がテーブル６に示されている。
テーブル６
2008535417.tif 000014
この例における個々のコストの和は、１．５７である。
【０１６７】
コストスレッシュホールドは、６−２＝４の自由度をもつカイ二乗累積密度関数から９０番目の百分位数として得られる。１つの小数位まで丸められた、この関数に対する数値的近似を使用すると、値は、７．８となる。
【０１６８】
計算されたコスト１．５７は、スレッシュホールド値７．８より小さいので、移動ターミナルは、この場合、ゾーン内にあると思われる。
【０１６９】
以下の例は、ゾーン画成及び検出のためにセルＩＤ及び無線信号レベル測定値がＵＭＴＳネットワークに使用される場合のプロフィールの発生を示す。前記例と同様に、一連の測定値が得られ、テーブルに累積される。各サイクルにおいて、アクティブな、監視されるセット内のセルの測定値が記録され、テーブルに追加される。以下のテーブル７は、１０回の測定サイクルにわたり、このように構成されたテーブルを例示する。このケースでは、上述したＧＳＭの例とは異なり、各サイクルに同じセルが報告され、従って、カウントは、全て、１０に等しい。
テーブル７
2008535417.tif 000015
【０１７０】
測定値のこのセットは、先ず、セル報告を、例えば、データベースに対して確認して、測定値のエンコード動作又はネットワークデータベースにおけるエラーを識別し、それに対処することにより、プロフィールへと変換される。次いで、伝播モデルを使用して、ゾーンに対してユーザにより指定された位置でユーザ装置（ＵＥ）により検出される信号を予想することができる。この場合は、例えば、Ｅｃ／ＩＯ＞−２０ｄＢの検出基準を適用すると、予想されるデータは、付加的なセルが、以下のテーブル８に示すように、移動ターミナルによりおそらく検出されることを指示する。一般に、予想に基づいてプロフィールに付加的なセルを含ませることは、多数の理由で行なわれる。あるケースでは、初期化段階中に記録される測定値が、近傍のセルを含み損なうことがある。これは、無線伝播におけるランダムな変動のために偶発的に生じ得る。又、メンテナンスのためにセルが動作されている間に生じることもある。
テーブル８
2008535417.tif 000016
【０１７１】
以下のテーブル９は、それにより得られるプロフィールを示す。シグマ値は、ゾーン判断プロセスに使用するためにサーバーにより追加される。このケースでは、１つを除く全てがデフォールト値９（デシベル）にセットされる。予想により追加される付加的なセルには、より大きなシグマが指定される。というのは、測定されたセルよりも、予想されるセルには、より大きな不確実性が関連するからである。
テーブル９
2008535417.tif 000017
【０１７２】
図１３は、セルアイデンティティ（セルＩＤ）及び他の無線信号レベル測定値がＵＭＴＳネットワークにおいて使用されるケースのプロフィールの発生を例示するものである。無線パラメータに関して表現されるゾーン画成は、地理的用語で指定されるゾーン位置に基づくモデリングツールを使用して発生される。この位置は、東及び北に関して指定され、図１３の中心にアスタリスク（＊）でマークされたポイントに相当する。モデリングツールを使用して、指定位置のエリア内の各セルに対してＣＰＩＣＨ  ＲＳＣＰ及びＣＰＩＣＨ  Ｅｃ／ＩＯが予想される。これらの予想から、Ｅｃ／ＩＯスレッシュホールドが適用され、プロフィールに含まれるべきセルが選択される。この例では、図１３に示すセル４１５０、４１５０５及び４３１３６が選択される。次いで、これらのセルに対する予想ＣＰＩＣＨ  ＲＳＣＰ値を使用して、ゾーンプロフィールを生成し、これが以下のテーブル１０に示されている。
テーブル１０
2008535417.tif 000018
【０１７３】
前記例は、セルＩＤ及び信号レベル測定値のみの使用を示す。タイミング測定値のような他の測定値も使用できる。例えば、ＵＭＴＳでは、アクティブなセットのセルに対するラウンドトリップ時間（ＲＴＴ）測定値を使用することができる。このケースでは、初期化段階中に基準測定値を得ることができる。次いで、各セル及びパラメータに対し、このパラメータの典型的な値を表わすエントリーが、ゾーン内のこのパラメータの予想される統計学的変化を表わす値と共にゾーンプロフィールに追加される。このプロフィールに対して測定値のセットを評価するときには、前記電力レベルに対して示したようにコストが計算され、ここでは、パラメータの測定値とプロフィールの値との間の差が計算されて、統計学的な倍率パラメータによりスケーリングされ、他の測定値に関連したコストに合成するためのコストを得る。同様に、時間差のような他の無線パラメータ測定値がプロセスに組み込まれてもよい。実際に、ゾーン内の典型的な値及びその変化の尺度が得られるところの無線パラメータ測定値を、当業者に明らかなように同様に使用することができる。
【０１７４】
あるケースでは、無線パラメータ測定値は、セル識別子を含まなくてもよい。これは、例えば、移動ターミナルの制約、又は無線ネットワークの特徴によるものである。このようなケースでは、ＧＳＭネットワークにおけるローカルエリアコード（ＬＡＣ）、或いはチャンネル周波数と他のパラメータ、例えば、スクランブルコードとの組み合せのような別の識別パラメータが使用されてもよい。
【０１７５】
この例は、セルＩＤ及び信号レベル測定値のみを使用する。又、別の仕方は、セルに対するラウンドトリップ時間（ＲＴＴ）測定値をアクティブなセットに合体させることである。
【０１７６】
ある実施形態では、ゾーン画成及び検出のために、例えば、ＣＤＭＡ（ＩＳ９５）ネットワークにベースステーション識別（ＢＡＳＥ＿ＩＤ）及びパイロット電力（Ｅｃ／ＩＯ）を使用することができる。ＧＳＭ及びＵＭＴＳの例と同様に、ゾーン内から一連の測定値を記録することができる。測定値は、アクティブなセット、候補セット、隣接セット、及び移動ターミナルにより維持されるセルの残りのセットのメンバーの組み合せに対応する。当業者に明らかなように、ＣＤＭＡネットワークでは、移動ターミナルが、サーチを３つの窓ＳＥＡＲＣＨ＿ＷＩＮ＿Ａ、ＳＥＡＲＣＨ＿ＷＩＮ＿Ｎ、及びＳＥＡＲＣＨ＿ＷＩＮ＿Ｒに分割し、ハンドオーバープロセスをサポートするための情報を収集する。これらの窓において、移動ターミナルは、ネットワーク内の全てのセルを集合的に含む４つの形式のセルに関する情報を収集する。
【０１７７】
前記実施形態とほぼ同様に、必要に応じてデータに適切な変更を行うことができ（例えば、エラーを分析し、セルを、選択されたＥｃ／ＩＯ基準等に基づいて追加又は除去することができ）、そしてデータを伝播モデルと比較して、測定値が記録されたときに移動ターミナルがゾーン内にほぼ位置していたかどうか検出することができる。
【０１７８】
当業者に明らかなように、ゾーン画成及び検出のためにＣＤＭＡネットワークに付加的な又は他の情報を使用することもできる。これは、パイロットチャンネルで受信された電力レベル及び測定されたＰＮオフセットを含むことができる。
【０１７９】
ゾーン画成及び検出に対して２つ以上のセルに関する測定値を使用するときには、ある場合に、１つ以上の測定値が不明瞭である状況が生じる。「不明瞭」という語は、それ自身によるパラメータ測定が無線ネットワーク内の多数のセルに関連付けられ、測定値自体から、どのセルが測定されたか識別できないことを意味するものと理解されたい。多くの場合には、有用なゾーンプロフィールを発生するために、不明瞭さを分析することが必要である。これを遂行するための適当な手段について以下に説明する。他の場合には、不明瞭な測定値を分析せずに適当なプロフィールを導出することができる。これを行うことのできる１つの例は、測定が行われた実際の位置をチェックする必要がない場合である。
【０１８０】
図１４は、システムがプロフィール発生プロセスにおいてゾーン内で得られた幾つかの測定値を使用するようなＧＳＭネットワークの一例である。移動ネットワーク１０は、各セルによりサービスされるエリアに対して理想的な六角形表示を使用して示されている。移動無線ターミナル２０は、セル４によりサービスされる。２つの他のセル１及び２（陰影付けされた）も示されている。これらのセルは、同じＡＲＦＣＮ及びＢＳＩＣを共有し、それ故、移動ターミナルにより隣接測定値として報告される場合には、サービスセルに対してセルＩＤのような付加的な情報を使用せずに、これら２つのセルのどちらが実際に測定された決定できないという意味で、不明瞭な測定値を生成する。
【０１８１】
測定プロセス中に、移動無線ターミナル２０は、隣接セル１に対する電力レベル測定値を報告する。測定値は、ＡＲＦＣＮ、ＢＳＩＣ及びセルのＲｘＬｅｖで構成される。しかしながら、報告される特定のＡＲＦＣＮ及びＢＳＩＣ値は、このネットワーク内の２つ以上のセル（１及び２）により共有される。プロフィールにセルＩＤを埋めるためには、不明瞭さを分析し、そしてこの値のＡＲＦＣＮ及びＢＳＩＣを有するセルのどれが移動ターミナルにより実際に測定されたか識別することが必要である。
【０１８２】
この分析を達成する１つの仕方は、このＡＲＦＣＮ及びＢＳＩＣを使用して全ての候補セルを識別し、次いで、ゾーンアドレスとして加入者により指定されたポイントに最も近いものを選択することである。別の方法は、モデリングツールを使用し、ゾーンにおいて全ての候補セルから受け取った有望な信号レベルを計算することである。この場合には、最も強力な予想レベルをもつものが、加入者のターミナルによって報告されたセルとして識別される。ゾーンに対応する位置を使用するのではなく、他のおおよその位置を使用することができる。ネットワーク１０内の移動無線ターミナル２０のこのようなおおよその位置を得る幾つかの方法が、次の出願中のＰＣＴ特許出願、即ち“Radio Mobile Unit Location System”と題するＰＣＴ／ＡＵ２００５／００１３５８号；“”と題するＰＣＴ／ＡＵ２００６／０００３４７号；及び“Enhanced Mobile Location”と題するＰＣＴ／ＡＵ２００６／０００３４８号に説明されている。これら各特許出願の全内容を参考としてここに援用する。この場合には、分析プロセスは、特定のサービスセルと同時に測定された見込みが最も高い候補を識別するように試みる。
【０１８３】
現在測定値のセットがゾーンプロフィールに対して比較されるゾーン検出プロセス中にも不明瞭な測定値の問題が生じる。再び図１４を参照すれば、移動無線ターミナル２０がゾーン内に位置され、隣接セル１に対する隣接測定値を報告する。上述したように、この測定値は、それ自身不明瞭である。報告されたＡＲＦＣＮ及びＢＳＩＣは、ゾーンプロフィールのエントリーのＡＲＦＣＮ及びＢＳＩＣに一致するが、移動無線ターミナル２０がどこに位置しているか知らないと、プロフィール内のセルに対して一致があるかどうか明らかでない。測定されたパラメータがプロフィールのエントリーのあるフィールドに一致することしか分らない。この場合に、本発明は、プロフィールを発生するときに必要となる種類の明白な不明瞭さ分析を要求しない。むしろ、少なくとも１つの明瞭な一致を使用して、パラメータがプロフィールのエントリーに一致する候補セルがその付近に１つしかないようにするに充分なほど、移動無線ターミナル２０の位置を限定するように、その明瞭な一致に信頼性を置くことができる。例えば、現在測定値が、セル４に対するサービスセル報告を含む場合には、ＡＲＦＣＮ及びＢＳＩＣがその報告されたパラメータに一致するような不明瞭なセル候補の中で、このエリア内で測定できるのは、セル１だけであり、それ故、これがプロフィールのエントリーに一致するはずであることが分る。
【０１８４】
ここに示す例は、セルＩＤを使用して不明瞭さを分析することを示しているが、他の方法も使用できることを理解されたい。例えば、ＧＳＭにおいては、セルＩＤではなくて、位置エリアコード（ＬＡＣ）を使用すると、多くの場合に、不明瞭さを分析することができる。更に別の可能性としては、プロビジョニング情報を使用して、ゾーン画成測定のための不明瞭さを分析することである。この場合は、一連の不明瞭な測定値を収集し、ユーザにより供給される公称位置を使用して、移動ターミナルの位置を限定し、これにより、不明瞭さを分析できるようにすることである。他のネットワークでは、同様のパラメータを使用して、不明瞭さを分析することができる。ＵＭＴＳでは、セルＩＤ及びＬＡＣを同様に指定することで、ＧＳＭについて述べたものと同様のメカニズムが得られる。
【０１８５】
図１５は、セルサイトの分離が１００メーターないし１ｋｍの範囲である高いセル密度を特徴とする都市の位置においてＧＳＭネットワークに画成されたゾーンの一例を示す。希望のゾーンは、小さなコーヒーショップにおいて画成される。コーヒーショップの位置は、Ｈでマークされる。一連のテストポイントも、点又は十文字を使用してゾーンの周りで地図上にマークされる。点は、システムがＩＮ−ＺＯＮＥ（ゾーン内）指示を返送するテストポイントをマークし、一方、十文字は、ＯＵＴ−ＯＦ−ＺＯＮＥ（ゾーン外）であるとシステムにより決定されるポイントを表わす。この場合の「ゾーン内」信頼性は、１時間より若干短い周期にわたり９０％より大きいと測定されている。この例における付随的漏れエリアは、数十メーターの半径を有する。半径５００メーターの円が希望ゾーンを中心に示され、スケールの指示を与える。
【０１８６】
ここに示す特定の信頼性及びゾーンサイズは、本発明の作用を制限するものと解釈されてはならない。異なるパラメータ設定により、約７５％より高い、又は約８５％より高い、又は約９０％より高い、又は約９４％より高い、又は約９７％より高い信頼性を得ることができる。同様に、５ｍないし３０ｍ、又は２０ｍないし２００ｍ、又は１００ｍないし３０００ｍのゾーンサイズを得ることができる。
【０１８７】
検出性能を表わす別の方法は、「ゾーン内」状態・対・ゾーンの概念的中心からの距離の曲線として表わすことである。垂直軸は、システムが「ゾーン内」指示を返送する時間の割合（又は測定サイクルの割合）を表わす。理想的に、この曲線は、ゾーンの１００％内側でスタートし、次いで、ゾーンからある距離において、できるだけ迅速に０％へ降下しなければならない。
【０１８８】
図１６は、田園環境においてＧＳＭネットワーク上でのテストの結果を示すためのこの形式の表現を例示している。近傍のセルサイト間の分離は、６ないし１０ｋｍの範囲である。希望のゾーンは、小さな農場住宅の内部として画成される。この場合には、ゾーン内の信頼性は、プロットの最も左の端において曲線で示されたように９９％を越える。ゾーンの外側では、「ゾーン内」として報告されるポイントの割合がゾーンからの距離の増加と共に減衰して、約４６０メーターでゼロに到達し、これは、このテストに対して、住居から４６０メーター以上のポイントは、ゾーンの外側であると思われることを意味する。曲線が距離の増加と共にゼロへと単調に減衰しないのは、一部分は、テストポイントがゾーンの周囲に全方向に分布されているためである。当業者に明らかなように、無線伝播の変転は、ゾーンの広がりがめったに滑らかでなく又はゾーンの中心に対して対称的でないことを意味する。この説明において、ゾーンからの距離を表わす単一軸に対してゾーンに関する測定値の２次元セットを折り畳むと、ゾーンの広がりに非対称性が生じ、図１６において２００ｍないし３５０ｍの上昇を形成する。
【０１８９】
この実験では、希望のゾーンの広がりは、差し渡しが２０メーター程度である。図１６の曲線から、これは、１００％の信頼性に近い領域に対応することが明らかである。２０メーターから４６０メーターの範囲は、遷移ゾーン又は漏れエリアに対応し、一方、４６０メーターを越える距離は、「ゾーン外」に対応する。これらの値は、システムパラメータの特定の設定で観察される。他の設定では、約７５％より高い、又は約８５％より高い、又は約９０％より高い、又は約９４％より高い、又は約９７％より高い信頼性を得ることができる。同様に、２００ｍないし８００ｍ、又は５００ｍないし１５００ｍ、又は８００ｍないし４０００ｍのゾーンサイズを得ることができる。
【０１９０】
本発明の１つの態様の効果は、ゾーン内信頼性と漏れとの間の兼ね合いを直接的に制御して、「アウト・ギブン・イン」エラー率に対する「イン・ギブン・アウト」エラー率の兼ね合いを与えるようにゾーン決定を調整する能力にある。異なるアプリケーションにおいて、システムの運営者は、「アウト・ギブン・イン」エラー及び「イン・ギブン・アウト」エラーに異なる重要性を配する。例えば、ゾーン内ベースの課金アプリケーションでは、ユーザは、「イン・ギブン・アウト」エラーの非常に低い確率を要求する。これに対して、高い値のアイテムが、そのアイテムにアタッチされた移動ターミナルを監視することでゾーンから除去されたかどうか決定することに関連したジェオ−フェンシング(geo-fencing)アプリケーションでは、アイテムが除去され且つ窃盗が検出されない場合に最も重大なエラーが生じる。これは、「アウト・ギブン・イン」エラーである。このようなケースでは、運営者は、「アウト・ギブン・イン」エラーの低い確率の見返りに、「イン・ギブン・アウト」エラーの高い確率を受け容れることになる。
【０１９１】
本発明のこの態様は、２つの形式のエラー間の兼ね合いを達成するための手段を提供する。これは、スレッシュホールドを約０％と約１００％との間で変更することにより実行できる。スレッシュホールドの各値は、「アウト・ギブン・イン」エラー及び「イン・ギブン・アウト」エラーの確率に対する異なる値を決定する。これは、システムに対する滑らかな動作曲線を発生する。この動作曲線の一例が図１７に示されている。明らかなように、異なるエラー値を選択する際には大きな融通性があるが、図１７の動作曲線で実施されるように、２つの間の兼ね合いが含まれる。スレッシュホールドを変更すると、遷移ゾーンのサイズも変化し、ゾーンのサイズは、「イン・ギブン・アウト」エラーの確率の上昇と共に増加することが明らかであろう。
【０１９２】
図１８は、実世界のデータでのこの形式の調整の作用を示す。これは、低密度の都市エリアとして説明されるものにおいてＧＳＭネットワークでの試行の結果を示す。このケースでは、希望のゾーンは、サイズが３５メーター直径程度のものである。この試行では、２つの個別のゾーン画成が使用され、それらは両方とも、初期化測定値の単一セットから導出される。第２のゾーン画成の場合には、上述した判断スレッシュホールドは、ゾーン内信頼性を約１０％低下して、より小さな漏れエリアを得る目的で、僅かな量だけ厳重にされる。このケースでは、実線は、第１のゾーン画成の性能を示し、一方、破線は、第２のゾーン画成を使用した性能を示す。
【０１９３】
これらの曲線は、第２の画成でのゾーン内信頼性が、約６％低下したことを示す。厳重にされたゾーン画成の、漏れエリア又は遷移領域に対する作用（ここでは、面積ではなく直線距離として測定される）は、約５０メーターの減少である。これは、本発明がゾーン性能パラメータを微細に制御して、サービスプロバイダーがゾーン画成をそれらのアプリケーションに適するように最適化するのを許すことを示している。ホームゾーンアプリケーションの場合には、これは、顧客の満足度と漏れエリアとの間に良好なバランスを達成できることを意味する。
【０１９４】
本発明のこの態様は、図１９ないし２２を参照して、異なる観点からも説明する。
【０１９５】
図１９は、ゾーン及びゾーン境界の要素の概略表示である。長方形で囲まれた領域は、希望の又は理想的なゾーン境界を表わす。これは、一例においては、加入者の家、オフィス、親戚の家、又は友人の家、等の広がりでよい。他のアプリケーションでは、これは、商業的家屋、学校、公園、或いはホテルの一部分又は全エリアの広がりでよい。あるケースでは、この広がりは、水平限界及び垂直限界を含む三次元で画成されてもよく、この広がりを多層ビルディングの１つ以上の階層に限定してもよい。ゾーンの広がりを垂直次元において制限する能力は、一般に、本発明の態様により与えられることに注意されたい。場所的な弁別性に乏しいゾーン画成システムでは、ビルディングの個別の階層が、限定されたローカルカバレージしかもたない専用のセルでサービスされない限り、高いレベルのゾーン内信頼性を維持しながら垂直の弁別性を達成することができない。希望のゾーンとは、移動ターミナルがゾーン内にあることをシステムが決定すべき領域である。無線信号パラメータは、希望ゾーンの境界で鋭く変化しないので、実際問題として、実際のゾーンは、実際のゾーン又は測定ゾーン内の希望ゾーンの外側にあるエリアを含むことになる。これを越えると、「ゾーン外」エリアである。このエリアでは、システムは、ほぼ常に、移動ターミナルがゾーン外にあるとみなす。希望ゾーンとゾーン外エリアとの間の領域は、遷移ゾーンと称される。
【０１９６】
ゾーンサイズの説明において、ゾーンの形状が、常に、滑らかで、対称的で又は連続したエリアではない場合には、ゾーンの中心から、ゾーン内に含まれる任意のポイントまでの最大距離を表わす単一値を使用するのが便利であることが明らかである。特定のポイントにはランダムな変化が存在するので、一般的に、この画成に対して統計学的な要素を含ませるのが有用である。ゾーンの漏れについては、本発明の目的に対する１つの適当な画成は、あるポイントでの１００回のランダムなテストにおいて２回以上のテストでゾーン内指示が返送されるかどうかである。希望のゾーンの典型的なサイズは、約５メーターから約２５００メーターの範囲である（例えば、約５−１０ｍ、約５−２５ｍ、約５−５０ｍ、約１０−１００ｍ、約２５−２０００ｍ、約５０−２５００ｍ、約１００−２５００ｍ、約５００−２５００ｍ、等）。
【０１９７】
垂直次元を含むゾーン（例えば、多層ビルディングにおける限定された階層）の場合には、ゾーンサイズは、約１ｍないし約２５０ｍの範囲である（例えば、約１−３ｍ、約１−５ｍ、約２−１０ｍ、約３−２５ｍ、約５−３５ｍ、約１０−１００ｍ、約２５−２５０ｍ、約５０−２５０ｍ、等）。
【０１９８】
典型的な漏れエリアは、約２０ｍないし約５００ｍの範囲である（例えば、約２０−５０ｍ、約２０−１００ｍ、約２０−２５０ｍ、約２０−５００ｍ、約２０−１０００ｍ、約１００−１０００ｍ、約１００−２０００ｍ、約５００−２５００ｍ、約５００−３５００ｍ、約５００−５０００ｍ、約１０００−５０００ｍ、約２０００−５０００ｍ、等）。
【０１９９】
この遷移ゾーンにおける移動伝播のランダム変動のために、ゾーン判断は、おそらく、ゾーン内判断とゾーン外判断との間でランダムに変化すべきである。商業的な観点から、この遷移ゾーンは、しばしば、漏れエリアと称される。これは、典型的に、希望のゾーンが低料率又は優先的サービスクオリティに関連しているためである。このサービスが遷移ゾーンでもある程度利用できることが、商業的コスト又は収入漏れを表わす。
【０２００】
「ゾーン内信頼性」とは、移動無線ターミナルが希望のゾーン内にあるときに、システムがゾーン内指示を正しく返送する度合いである。通常は、この信頼性が非常に高いことが要求される。というのは、これは、加入者の経験の最重要特徴であり、認知し得る信頼性欠乏は、許容され得ないからである。例えば、約９９％以上であることが通常要求される。これは、１００回の実験の９９回以上において、移動ターミナルが希望のゾーン内にあるときに、システムがゾーン内指示を返送しなければならないことを意味する。評価は、ゾーン内でランダムに選択されたポイントのパーセンテージとして、或いは時間の割合として、測定することができる。
【０２０１】
他のアプリケーションでは、ゾーン内信頼性は、約８０％、約９０％、約９５％、約９７％、約９９．５％、又は特定の用途に適用できる他の値であることが要求される。
【０２０２】
第２の用語は、前記で既に参照した「漏れ」である。あるケースでは、これは、希望のゾーンの外側のエリアであって、移動無線ターミナルがゾーン内にいるとシステムがみなすエリアを表わす。加入者に優先的サービスクオリティ又は低料率がオファーされるアプリケーションでは、希望のゾーンの外側のこの漏れエリアは、最小にすべきコストを表わす。あるケースでは、漏れエリアは、それに対して一時的なコンポーネントを有してもよい。例えば、ゾーン判断が１時間ごとにしかリフレッシュされない仕方でシステムが動作される場合には、加入者は、ある評価の直後にそのゾーンを立ち去っても、その１時間の残りの部分中には、実際にはゾーン外であるときに、ゾーン内として処理されてしまう。
【０２０３】
ゾーン内信頼性と漏れとの間の相互作用は、妥協を必要とする。多くのアプリケーションにおいて、ゾーン内信頼性は、重要な要件である。それ故、ゾーン画成は、このレベルの信頼性を与えるように構成されねばならない。それにより得られる漏れは、負担しなければならない付随的コストである。上述したように、本発明のこの態様の効果は、指定のゾーン内信頼性に対して、対応する漏れを、既存の技術より小さくできることである。或いは又、漏れエリアをある値未満に制限しなければならないことをアプリケーション要求が指示する場合には、ゾーン内信頼性の付随的減少と共に、その広がりを制限することができる。
【０２０４】
本発明のこの態様の更に別の効果は、信頼性と漏れとの間の兼ね合いを微細な粒度で調整できることである。この特徴は、本発明のシステムを、セルＩＤのみを使用するシステムと対比させることにより、以下に説明する。
【０２０５】
図２０は、１、２及び３と示された３つのセルで構成されるセルラーネットワークを示す。全ての実際のセルラーネットワークと同様に、各セルのカバレージエリアは、ある程度重畳する。このケースでは、加入者は、その広がりが長方形により斜視図で示されたゾーンを登録する。この長方形において、加入者の移動ターミナルは、セル１、２又は３のいずれか１つによりサービスされる。図から明らかなように、セル１、２及び３のカバレージエリアの大部分は、漏れエリアを構成する。各セルによりカバーされ又はサービスされるゾーンの各部分は、異なる強さの陰影により示されている。セル１は、希望のゾーンの大部分（この例では、約６０％）をカバーする。セル２は、残りのエリアの実質上全部（この例では、約３５％）をカバーする。セル３は、ゾーンの僅かな量のカバレージ（この例では、約５％）しか貢献しない。
【０２０６】
移動無線ターミナルがセル１又はセル２のいずれかをサービスセルとして選択するようなエリアとしてゾーンが画成される場合には、この例では、約９５％のカバレージ又はゾーン内信頼性が達成されることから、信頼性・対・漏れの兼ね合いの精度に欠けることが明らかである。この場合の漏れは、これら２つのセルによってもサービスされる残りの全エリアである。
【０２０７】
しかしながら、ゾーン内信頼性を約９９％以上に高めるためには、セル３をゾーン画成に追加することが必要である。これは、漏れエリアを３０ないし４０％も増加するという多大な犠牲を与えながら、ゾーン内信頼性に数％の利得しか達成しない。これにより得られる実際のゾーンの広がりが図２１に示されており、陰影付けされた領域は、ゾーンの広がりを指示する。
【０２０８】
図２２は、本発明を使用してゾーン画成及び検出を行なう同じ希望のゾーンを伴う同じネットワークを示す。暗く陰影付けされた領域４は、無線パラメータのあるセットで達成されるゾーン画成を表わす。このケースでは、前記例と同様に、ゾーンの右下角にある希望ゾーンの小さな部分だけが、システムにより動作される有効ゾーンの外部となる。
【０２０９】
約９９％以上のゾーン内信頼性の要件をもう一度仮定する。その結果、少なくとも９９％の希望のゾーンをカバーするようにゾーン画成を調整する必要がある。このケースでは、別のセルの全カバレージエリアをゾーン画成に追加するのではなく、判断スレッシュホールドが、僅かな量だけ緩和される（アルゴリズムのアプリケーションを参照して上述したように）。これは、明るく陰影付けされた楕円５により表わされる変更ゾーン広がりを生じさせる。このケースにおけるゾーン信頼性の増加は、漏れエリアの僅かな増加を犠牲にして達成される。ここに示す例は、本発明の幾つかの実施形態の別の特徴も示し、即ちゾーンの広がりは、無線ネットワークセルサイト及び／又はセルセクターの位置及び／又は向きに対して固定の依存性をもつ必要がないことも示している。これは、ゾーンが、ラウンドトリップタイミング測定値を任意に含むセルカバレージエリアの単位でゾーンが画成されるシステムとは対照的であり、これらの場合、ゾーンは、１つ以上のセルサイトを包囲しなければならないか、或いはラウンドトリップ遅延測定値を使用して、広がりをあるセクター、又はある環のセクターに制限するとき等に、ある固定の関係になければならない。
【０２１０】
図２３は、多数の領域又はゾーン５０１、５０２、５０３、５０４及び５０５が完全に制御される仕方で画成された無線通信ネットワーク内のセル５００を示す。明らかなように、これらゾーンのサイズ、形状、位置及び向きは、それらが画成されたセル５００とは完全に独立している。
【０２１１】
上述したように、この特徴は、第三次元に拡張することもでき、本発明のこの態様を使用するシステムは、垂直方向及び水平方向においてゾーンを画成することができる。図２４は、階床５１、５２、５３及び５４を含む多数の階床とロビー５５とを有するアパートビルディング５０を示す。本発明のこの態様によれば、厳密に制御されるゾーン５７及び５５を設けることができる。これは、個々の階床又はレベル及び個々のアパートを個々にゾーン化して、高密度の多レベルエリアに住んでいる者に位置ベースのサービスを提供するのを許す。
【０２１２】
図２４の例では、５２と示されたレベルにおけるアパートの住人は、自分のアパートから発せられるコールがアパートの外部より安い料率で勘定されるように「ホームゾーン」勘定構成を与えるサービス契約に入ることができる。
【０２１３】
同様に、アパートの所有者は、ビルのロビーからコールを発する客やビルの住人が異なる料率で課金されるという通信サービスプロバイダーとのサービス協約に入ることができる。これは、ホームゾーン構成の住人に課金される料率と同じでもよいし、異なってもよい。
【０２１４】
同様に、ゾーン５６及び５７は、図２ないし４を参照して上述したように、実際上重畳してもよいことが明らかであろう。この例では、ビルの所有者は、ビル全体をカバーするようにゾーン５６を拡張することによりビル全体に異なる通話料率を与えるようにサービス構成に入ることができる。同時に、アパートの住人は、更に、ゾーン５７（これは、ゾーン５６により画成された体積内にある）によりカバーされたアパート内でなされたコールが異なる料率で課金されるように自分自身のサービス契約に入ってもよい。
【０２１５】
もちろん、位置又はゾーンに基づくものである他のアプリケーション又はサービスも等しく適用できる。
【０２１６】
実世界の無線ネットワークにおいて達成できるゾーン検出性能は、多数のファクタに依存する。標準的な移動ターミナルを使用して実際のネットワークにおいて測定された本発明の性能例を含むこれらファクタの幾つかを以下に説明する。
【０２１７】
ゾーン検出問題は、ランダムノイズで覆い隠された信号を検出するために同様の表現で考えることができる。このケースにおける当該信号は、現在無線パラメータ測定値と、希望のゾーンにおける典型的な無線パラメータ測定値との間の差である。差が大きいほど、ゾーン外である見込みが大きいことを示す。
【０２１８】
理想的世界では、小さなゾーンに対する高速及び低速フェージング、干渉、ノイズ及び移動ターミナル測定エラーのような無線チャンネルファクタは、存在せず、又、ゾーンにわたって測定された無線信号パラメータは、比較的一貫している。移動無線ターミナル２０がゾーンから移動し、距離が増加するにつれて、無線パラメータ測定値は滑らかに変化し、確信をもってスレッシュホールドを設定し、ゾーンの限界をマークすることができる。ゾーンにおける基準パラメータ測定値と現在測定値との間の差がこのスレッシュホールドに到達すると、移動装置は、ゾーンから離れ又はゾーンを出たと正確にみなすことができる。
【０２１９】
実際の無線ネットワークでは、上述した無線チャンネル現象の存在は、検出問題においてノイズとみなし得るものについて著しく貢献する。それ故、達成できる性能は、信号対雑音比の関数として理解することもできる。希望のゾーンと他の場所との間の無線パラメータ測定値の差が小さいが、ノイズファクタがパラメータ測定値に大きな変動を生じさせる場合には、達成できる性能が限定される。
【０２２０】
上述したように、２つの性能特性は、ゾーン内信頼性と漏れである。これら２つの特性は、単一の用語、即ち空間的弁別性へと合成される。スーパーゾーン検出システムは、大きな空間的弁別性を示すもので、移動無線ターミナル２０が特定ゾーン内にあるときと、そのゾーンから出たときとの間の差をより正確に検出できるものである。
【０２２１】
達成可能な空間的弁別性は、使用する情報の形式に一部分依存する。単純なセルＩＤベースのシステムについては、セルサイズが、個々のセルのカバレージエリアのサイズの重要な関数である。本発明では、１つの態様において、信号レベル測定値がゾーン検出処理にも合体される場合に、セルの大きさは、依然、１つのファクタである。セル密度が比較的高い（例えば、数百メーター以下しか離れていない）エリアでは、空間的弁別性が非常に正確で、数十メーター程度である。これに対して、セルが数キロメーター分離されている田園エリアでは、信号レベル測定を使用して達成できる空間的弁別性が低下される。このような場合には、特に、達成可能なゾーンサイズは、数百メーターのサイズである。本発明が、（信号レベル測定値に加えて任意に）タイミング測定値を使用して適用されるときには、セルの寸法を増加する効果が実質的に減少される。
【０２２２】
達成可能な性能に影響する別のファクタは、得られる測定値の数である。例えば、サービスセル識別子及び無線信号レベル測定値を使用するシステムは、平均的に、より大きな数の信号レベル測定値が与えられたときに、より大きな空間的弁別性を示す。得られる測定値の数は、次いで、ファクタの数により影響される。１つのこのようなファクタは、セル密度及びネットワークプランニングである。ゾーンの検出可能な範囲内により多くのセルサイトがある場合には、移動ターミナルは、一般に、より大きな数の信号レベル測定値を報告することができる。又、ネットワークプランニングも効果を有する。というのは、下位のネットワークプランは、移動装置により観察されるより大きなレベルの干渉と、弱い信号を測定する能力の対応的な低下とを生じるからである。
【０２２３】
達成可能な空間的弁別性に影響する別のファクタは、希望ゾーンのサイズである。一般的に、同じ位置においてより小さな希望ゾーンと同じゾーン内信頼性を示すより大きな希望ゾーンは、より大きな漏れエリアを有する。より大きなゾーン内エリアを有するゾーン（希望ゾーン）は、このゾーンからゾーン外領域へのあまり先鋭でない遷移を示す。
【０２２４】
セルサイトの分離が比較的小さい都市エリアでは、本発明の性能は、約１−２５０ｍ（例えば、約１−１０ｍ、約１５−３５ｍ、約５０−７５ｍ、約５０−１００ｍ、約２００−２５０ｍ、約５ｍ、約１５ｍ、約２７ｍ、約６０ｍ、約８５ｍ、約１２５ｍ、約１５０ｍ、約２００ｍ、約２２５ｍ、等）程度に小さいゾーン定義を許す一方、約７０−１００％のターゲットゾーン内信頼性（例えば、約７０−８０％、約７５−９５％、約８０−９９％、約８５−９９．５％、約９０−９９％、約９０−９５％、約９２−９８％、約８５％、９０％、９３％、９５％、９９％、９９．５％以上、等）を維持する。
【０２２５】
同様に、セルサイトの分離が都市エリアより大きい郊外エリアでは、本発明の性能は、約５０−８００ｍ（例えば、約５０−１００ｍ、約５０−２００ｍ、約１００−４００ｍ、約２５０−５００ｍ、約２５０−７００ｍ、約３００−８００ｍ、約４００−８００ｍ、約５０ｍ、約７０ｍ、約１００ｍ、約１５０ｍ、約２２５ｍ、約３２０ｍ、約３８０ｍ、約４５０ｍ、約５７５ｍ、約７００ｍ、約７８０ｍ、等）程度に小さいゾーン定義を許す一方、約７０−１００％のターゲットゾーン内信頼性（例えば、約７０−８０％、約７５−９５％、約８０−９９％、約８５−９９．５％、約９０−９９％、約９０−９５％、約９２−９８％、約８５％、９０％、９３％、９５％、９９％、９９．５％以上、等）を維持する。
【０２２６】
同様に、セルサイト分離が都市エリア及び郊外エリアより大きい田園エリアでは、本発明の性能は、約１００−２５００ｍ（例えば、約１００−３００ｍ、約１００−４５０ｍ、約１５０−６００ｍ、約２５０−６５０ｍ、約３００−１５００ｍ、約６００−２２５０ｍ、約８００−２２５０ｍ、約１２００−２５００ｍ、約１８００−２５００ｍ、約１００ｍ、約２２０ｍ、約３２０ｍ、約４５０ｍ、約５６０ｍ、約８００ｍ、約１２２０ｍ、約１６００ｍ、約２１００ｍ、約２４００ｍ、等）程度に小さいゾーン定義を許す一方、約７０−１００％のターゲットゾーン内信頼性（例えば、約７０−８０％、約７５−９５％、約８０−９９％、約８５−９９．５％、約９０−９９％、約９０−９５％、約９２−９８％、約８５％、９０％、９３％、９５％、９９％、９９．５％以上、等）を維持する。
【０２２７】
本発明の実施形態において、ゾーン定義及びターゲットゾーン内信頼性は、絶対的表現で又は相対的パーセンテージで連続的に調整することができる。例えば、ゾーンサイズは、約０％から約±５００％まで調整することができる（例えば、約０−２％、約１０−２５％、約２０−５０％、約２５−９０％、約５０−２５０％、約１００−３５０％、約１５０−５００％、約−５００％から−１５０％、約−３５０％から−１００％、約−２５０％から−５０％、約−９０％から−２５％、約−５０％から−２０％、約−２５％から−１０％、約−２％から０％、約±４００％、約±３５０％、約±２８０％、約±１４０％、約±１２０％、約±８０％、約±４０％、約±２０％、約±１２％、約±８％、約±５％、約±２％、等）。
【０２２８】
次のテーブルは、異なるネットワーク及び条件において達成可能な性能に対する幾つかの例示的な値を示す。これらは、多数の国々のネットワーク内で、異なる希望ゾーンサイズをもつ種々の環境において実行された著しい数のテストに基づく例示的数字であることを理解されたい。
【０２２９】
これらのテストにおいて、次の仮定がなされる。
−  希望ゾーンは、その広がりが２５ｍｘ２５ｍを越えない単一階層のビルディングである。
−  ターゲットゾーン内信頼性は、９９％である。
−  漏れサイズは、希望ゾーンを中心とする円の半径として測定され、希望ゾーンは、環境に対して適切にスケーリングされた半径でホームゾーンを中心とする円を横切ってテストポイントが均一に拡散するときに、ゾーン内として与えられるポイントの９９パーセントを含むものである。
【０２３０】
都市環境については、アンブレラ及びマイクロサイトの混合を伴い２５０ｍの平均セルサイト分離が使用される。漏れを測定する際には、半径３ｋｍの円が使用される。
【０２３１】
郊外環境については、２ｋｍの平均セルサイト分離が仮定され、そして漏れを測定するのに半径６ｋｍの円が使用される。
【０２３２】
田園環境については、５ｋｍの平均セルサイト分離が仮定され、そして漏れを測定するのに半径１２ｋｍの円が使用される。
【０２３３】
ＲｘＬｅｖ測定値は、１つの測定サイクルにおいて最大６個の隣接セルについて得られるものと仮定する。（上述したように、本発明の一実施形態では、非常に多数の測定値を移動ターミナルから得ることができ、より高い性能が可能となる。）
テーブル１１
2008535417.tif 000019
【０２３４】
ＵＭＴＳネットワーク−漏れエリア
アクティブで且つ監視されるセットにおける全てのセルに対してＣＰＩＣＨ  ＲＳＣＰ測定値が得られると仮定する。
【０２３５】
アクティブなセットにおける全てのセルに対してラウンドトリップ遅延が得られると仮定する。
テーブル１２
2008535417.tif 000020
【０２３６】
ＣＤＭＡネットワーク−漏れエリア
テーブル１３
2008535417.tif 000021
【０２３７】
ユーザが画成されたゾーン内かゾーン外かについて決定がなされると、この決定の結果に基づいて種々のアクションをとることができる。移動通信の運営者は、サービスを運営するための好みに基づいてシステムを構成することができる。
【０２３８】
次のオプションが含まれる。
−  ユーザがコール又は他のサービスを開始するときに使用するために現在状態を移動装置２０に記憶する。
−  ユーザが現在位置からサービスを開始する場合に適用する料率が分るように、移動装置２０のディスプレイ上の指示子を更新する。
−  状態の変化（ゾーン内状態からゾーン外状態へ移行する）がある場合に、ネットワークベースのエンティティに更新状態を通知するためのメッセージを送信する。この指示は、ショートメッセージサービス（ＳＭＳ）、汎用パケット無線サービス（ＧＰＲＳ）、非構成補足サービスデータ（ＵＳＳＤ）、ワイヤレスアプリケーションプロトコル（ＷＡＰ）、又は別のワイヤレスベアラを経て送信することができる。このケースでは、移動ターミナルは、サーバーによる更なる処理のために決定の基礎となる測定値を幾つか又は全部含ませるのも任意である。
−  コールが開始される場合には、関連するメッセージを送信して、当該ネットワークエンティティに、適用すべき通話料率を通知するか、或いはネットワークが正しい料率を適用できるようにコール設定シグナリングを変更する。
【０２３９】
本発明の幾つかの用途では、ゾーンに関連したサービスを、短い期間しかもたないように設計することができる。このケースでは、プロフィールの定義は、プロフィールを実際に保持しなければならない期間を表わす寿命パラメータに関連付けることができる。この時間の後に、移動ターミナルがプロフィールを破棄することができる。一例においては、ユーザ又は商人にユーザが商人の建物の近くにいることを警告するように設計された時間制限マーケッティングオファーをゾーンに関連付けることができる。寿命が満了になると、移動ターミナルは、ネットワークトラフィックを最小にするために他のネットワークエンティティとの更なるシグナリングを伴うことなく、プロフィールを破棄できるのも任意である。
【０２４０】
又、本発明は、バディーファインダー（相棒探し）サービスにも適用できる。この形式のサービスは、移動加入者のグループを集合として登録することができる。いつでも、グループのメンバーは、グループのいずれかの他のメンバーが近くにいるかどうか決定するための要求をシステムへ発生することができる。即座の要求とは別に、例えば、夕方の残部(remainder of the evening)に対し、ある定義された時間周期で要求が登録される。
【０２４１】
加入者のグループが登録されると、ユーザは、通常、サーバーにコンタクトして要求を登録し、要求の満了時間及び地理的接近性スレッシュホールド任意に指定する。移動ターミナルから要求が発生された場合には、ターミナルは、測定値のセットをサーバーに返送することができる。このようなケースでは、サーバーは、これらの測定値に基づきプロフィールを発生することができる。又、ユーザは、別の手段を経て要求を発行することもでき、地理的座標又は市民住所表現で位置又は領域を特定することができる。このような要求を受け取ると、サーバーは、予想されるデータ、経歴的プロフィールデータ、又は両方の組み合せに基づきプロフィールを変換又は生成する。生成されるプロフィールは、要求者により指定された接近性スレッシュホールドを考慮に入れることができる。又、生成されるプロフィールは、要求者が契約する要求者の位置を考慮に入れて、環境に対してプロフィールを調整することができる。グループのメンバーが、異なる移動ネットワークと契約することも考えられる。このケースでは、サーバーは、各ネットワークに対してプロフィールを調整する。
【０２４２】
サーバーがプロフィールを生成すると、このプロフィールは、次いで、バディー（相棒）リストの他のメンバーの移動ターミナルへ送信される。プロフィールを保持するメッセージを受け取ると、移動ターミナルのアプリケーションは、プロフィールを、その現在プロフィールリストに追加する。バディーリストのメンバーがターミナルに適当なアプリケーションを有していない場合には、街路及び郊外向け住所を保持するテキストベースのメッセージを送信して、ユーザがその付近にいるバディーについて通知するよう要求したことを受信者に知らせることができる。
【０２４３】
１つの移動装置におけるアプリケーションが、プロフィールと、現在フィルタリングされた測定値との間の一致を検出した場合には、トリガー基準を識別し且つ現在フィルタリングされた測定値を含むアラートメッセージを構成する。次いで、このアラートメッセージをサーバーに送信する。サーバーは、次いで、最初の要求者へメッセージを送信して、要求基準を満足するバディーが識別されたことを通知することができる。
【０２４４】
又、サーバーは、測定値を処理し、ユーザにより指定された最初の基準及び接近性スレッシュホールドに対してその結果をチェックして、偽警報の危険性を低減することができる。このため、サーバーは、移動ターミナルよりも大きな処理能力を有し、又、付加的な情報をもつこともできる。
【０２４５】
この説明は、ある個人がグループ内の他の人々に対してプロフィールを設定する場合しか取り扱わない。明らかに、グループの各個人が、それ自身のプロフィールをグループの他のメンバーに送信することもできる。
【０２４６】
このアプリケーションの一例として、ショッピングセンターにいる個人「ジョディー」が、２人の友人「ジェーン」及び「ジェニファー」がショッピングセンターに来たかどうか知りたいとする。「ジョディー」は、自分の移動ターミナルでバディーファインダーメニューを選択する。このアプリケーションは、「ジョディー」から、ゾーンのサイズ及び要求の期間を要求する。ショッピングセンターについては、ゾーンのサイズが２００ｍであり、そして期間は、３時間である。移動ターミナルは、次いで、フィルタリングされた測定値のセット、要求の期間、及びゾーンのサイズをサーバーへ送信する。サーバーは、本明細書において先に述べたように、プロフィールを発生する。次いで、このプロフィールは、「ジェーン」及び「ジェニファー」の移動装置のアプリケーションへ送信される。任意であるが、「ジェーン」が次の３時間以内に「ジョディー」の付近に来るかどうか「ジョディー」が知りたがっていることを通知するメッセージが「ジェーン」の移動装置に表示されてもよい。このケースでは、「ジェーン」が要求を受け容れた場合、プロフィールが「ジェーン」の移動ターミナルの他のプロフィールに追加される。「ジェニファー」の移動装置でも、同様のアクションセットが生じる。次の３時間に、「ジェーン」の移動装置は、「ジョディー」が要求を発したエリアを表わすプロフィールを、現在測定値と比較する。一致がある場合には、メッセージがサーバーに送信される。次いで、サーバーは、「ジェーン」が近くにいることを通知するメッセージを「ジョディー」の移動装置に送信する。次いで、「ジョディー」は、「ジェーン」にコールするか又は他のアクションをとらせる。「ジェニファー」の移動装置についても、同様のアクションセットが生じる。
【０２４７】
ここに示す態様の別の実施形態では、「ジョディー」の移動装置は、以前に定義されたプロフィール及び現在測定値を使用して、それ自身の位置を監視することができる。「ジョディー」が構成可能なスレッシュホールド以上に移動したときには、その移動装置が、位置を表わす「ジェーン」及び「ジェニファー」の移動装置の既存のプロフィールを更新するか、又はこれらプロフィールを消滅するように、サーバーに通知することができる。
【０２４８】
このアプリケーションに関連した本発明の実施形態の１つの効果は、ターゲットとする移動ターミナルのゾーンを監視するための処理がこれらターミナルにおいて遂行されたときに生じる。これは、ネットワークベースのサーバーにおいて位置監視が行われる場合に存在する周期的ポーリングの必要性、及びこの目的のために測定値を得るための付随的なネットワーク負荷を排除する。更に、このように処理を分散させることで、ワーク負荷が参加者のターミナルにわたって分散されるために、スケーリングの効果を導く。
【０２４９】
本発明の種々の態様により得られる改善型ゾーン決定は、次のものを含む（これに限定されないが）多数の他のアプリケーションに有用である。自己ナビゲーション（例えば、ＧＰＳシステムに代わる）；テレコミュニケーションサービスプロバイダーが、いつでも加入者の位置に基づいて、通信及び他のサービスを調整できる位置ベースサービス（ＬＢＳ）；非常／救助位置サービス；個々の個人を追跡し、例えば、移動電話を携帯する子供が子供の家と子供の学校との間の経路の「安全ゾーン」を外れて移動したことを親に警告すること；地理に基づく娯楽及びゲームアプリケーション、輸送船団管理システム、及び移動装置又は移動装置に関連した個人の位置の知識が使用される他のアプリケーション。
【０２５０】
本明細書で使用される用語「備える」及びその派生語（例えば、「備え」、「備えている」）は、それが参照する特徴を包含するものであり、特に、明言又は暗示しない限り、付加的な特徴の存在を除外するものでないことを理解されたい。
【図面の簡単な説明】
【０２５１】
【図１】ゾーンが画成される無線通信ネットワークを示す図である。
【図２】２つの重畳するゾーンが画成される無線通信ネットワークを示す図である。
【図３】２つの重畳するゾーン及び１つの個別のゾーンが画成される無線通信ネットワークを示す図である。
【図４】３つの重畳するゾーンが画成される無線通信ネットワークを示す図である。
【図５】３つの個別のゾーンが画成される無線通信ネットワークを示す図である。
【図６】無線信号パラメータの測定値が移動無線ターミナルにより得られて処理される本発明の一形態の例示的構成を示す図である。
【図７】測定値を使用してプロフィールを発生するのに使用される方法のプロセスフローチャートである。
【図８】ネットワークモデルを使用してプロフィールを発生するのに使用される方法のプロセスフローチャートである。
【図９】無線信号パラメータの測定値がネットワークサーバーにより処理される本発明の別の形態の例示的構成を示す図である。
【図１０】信号パラメータの測定値がネットワークの外部のプロセッサにより処理される本発明の別の形態の例示的構成を示す図である。
【図１１】測定値及び予想値の両方を使用してプロフィールを発生するのに使用される方法のプロセスフローチャートである。
【図１２】予想値を使用してプロフィールを発生し、そして測定値を使用してプロフィールを洗練化するのに使用される方法のプロセスフローチャートである。
【図１３】セルアイデンティティ（セルＩＤ）及び他の無線信号レベル測定がＵＭＴＳネットワークに使用される場合にプロフィールを発生する一例を示す図である。
【図１４】プロフィール発生プロセスにおいてゾーン内で得られた幾つかの測定値をシステムが使用するようなＧＳＭネットワークの一例を示す図である。
【図１５】高いセル密度を特徴とする都市位置においてＧＳＭネットワークで画成されたゾーンの一例を示す図である。
【図１６】本発明の１つの態様を適用したときに田園環境においてＧＳＭネットワークに行なったテストの結果を示すプロットである。
【図１７】「アウト・ギブン・イン」エラーと「イン・ギブン・アウト」エラーとの間の関係を示すシステムオペレーティング曲線のプロットである。
【図１８】低密度の都市エリアでのＧＳＭネットワークにおける試行の結果を示すと共に、「アウト・ギブン・イン」エラーと「イン・ギブン・アウト」エラーとの関係を変化させることの作用を示すプロットである。
【図１９】ゾーン検出システムで識別できる個別の領域を示す図である。
【図２０】セルＩＤシステム内に画成されるゾーンを示す図である。
【図２１】ゾーン内信頼性を高めるように試みるときに得られる図１６のゾーンの広がりを示す図である。
【図２２】本発明の態様を使用してゾーン内信頼性を高めるときに得られる図１７のゾーンの広がりを示す図である。
【図２３】セル内の幾つかの考えられるゾーン形状及び位置を示す図である。
【図２４】ビルの垂直次元に画成されるゾーンを示す図である。
【図１】
2008535417.tif 000025
【図２】
2008535417.tif 000026
【図３】
2008535417.tif 000027
【図４】
2008535417.tif 000028
【図５】
2008535417.tif 000029
【図６】
2008535417.tif 000030
【図７】
2008535417.tif 000031
【図８】
2008535417.tif 000032
【図９】
2008535417.tif 000033
【図１０】
2008535417.tif 000034
【図１１】
2008535417.tif 000035
【図１２】
2008535417.tif 000036
【図１３】
2008535417.tif 000037
【図１４】
2008535417.tif 000038
【図１５】
2008535417.tif 000039
【図１６】
2008535417.tif 000040
【図１７】
2008535417.tif 000041
【図１８】
2008535417.tif 000042
【図２０】
2008535417.tif 000043
【図２１】
2008535417.tif 000044
【図２２】
2008535417.tif 000045
【図２３】
2008535417.tif 000046
【図２４】
2008535417.tif 000047
【図１９】
2008535417.tif 000048
【国際調査報告】
2008535417.tif 000049
2008535417.tif 000050
2008535417.tif 000051
2008535417.tif 000052
2008535417.tif 000053